(57)【要約】  被写体を撮影して第１画像を生成する撮像手段と、１以上の送信装置から、画像処理に係る情報を１以上受信する受信手段と、受信した前記１以上の情報に基づき、前記第１画像を出力するか若しくは前記第１画像の出力を抑制するか判断する判断手段と、前記判断の結果に応じて、外部又は内部の他の構成要素から読み出し可能なメモリに，前記第１画像を出力するか若しくは前記第１画像を破棄する出力手段とから構成されることを特徴とする。
2007519284.tif 000002
【特許請求の範囲】
【請求項１】
被写体を撮影して第１画像を生成する撮像手段と、
１以上の送信装置から、画像処理に係る情報を１以上受信する受信手段と、
受信した前記１以上の情報に基づき、前記第１画像を出力するか若しくは前記第１画像の出力を抑制するか判断する判断手段と、
前記判断の結果に応じて、外部又は内部の他の構成要素から読み出し可能なメモリに、前記第１画像を出力するか若しくは前記第１画像を破棄する出力手段と
を備えることを特徴とするデジタルカメラ。
【請求項２】
前記判断手段は、更に、受信した前記１以上の情報に基づき、前記第１画像を出力するか、前記第１画像を加工して出力するかを判断し、
前記出力手段は、前記判断の結果に応じて、前記メモリに、前記第１画像を出力するか若しくは前記第１画像に加工を施して出力する
ことを特徴とする請求項１に記載のデジタルカメラ。
【請求項３】
前記受信手段は、
第１送信装置から第１情報を受信する第１受信部と、
第２送信装置から、前記被写体に対応する画像加工を示す第２情報を受信する第２受信部とを備え、
前記判断手段は、前記第１情報に応じて、前記判断を行い、
前記出力手段は、第１画像を加工して出力すると判断された場合に、前記第１画像に前記第２情報により示される前記画像加工を施して第２画像を生成し、生成した第２画像を前記メモリに出力する
ことを特徴とする請求項２に記載のデジタルカメラ。
【請求項４】
前記出力手段は、
前記第１画像に、前記画像加工を施すことにより、当該第１画像との相違を、視覚的に認識可能である前記第２画像を生成する
ことを特徴とする請求項３に記載のデジタルカメラ。
【請求項５】
前記判断手段は、前記第２受信部が前記第２情報を受信すると、前記第１情報を受信したか否か判定し、前記第１情報を受信したと判定する場合に、前記第１画像を加工して出力すると判断する
ことを特徴とする請求項４に記載のデジタルカメラ。
【請求項６】
前記第１情報は、画像加工を示す情報を含み、
前記判断手段は、前記第２受信部が前記第２情報を受信すると、前記第１情報を受信したか否か判定し、前記第１情報を受信したと判定する場合に、前記第１画像を加工して出力すると判断し、
前記出力手段は、第１画像を加工して出力すると判断された場合に、前記第２情報が示す画像加工に加え、前記第１情報が示す画像加工を、前記第１画像に施して、前記第２画像を生成する
ことを特徴とする請求項４に記載のデジタルカメラ。
【請求項７】
前記判断手段は、前記第２受信部が前記第２情報を受信すると、前記第１情報を受信したか否か判定し、前記第１情報を受信したと判定する場合に、前記第１画像を出力すると判断し、
前記出力手段は、前記第１画像を出力すると判断された場合に、前記第１画像を前記メモリに出力する
ことを特徴とする請求項３に記載のデジタルカメラ。
【請求項８】
前記判断手段は、前記第２受信部が前記第２情報を受信すると、前記第１情報を受信したか否か判定し、前記第１情報を受信したと判定する場合に、前記第１画像の出力を抑制すると判断し、
前記出力手段は、前記第１画像の出力を抑制すると判断された場合に、前記第１画像を破棄する
ことを特徴とする請求項３に記載のデジタルカメラ。
【請求項９】
前記第１受信部は、前記第１情報を記憶しており、当該デジタルカメラを所持したユーザが通過するゲートである前記第１送信装置から、前記第１情報を受信し、
前記第２受信部は、前記被写体に貼付若しくは架設されているか、又は、前記被写体の近傍に設置されており、前記第２情報を記憶しているＩＣタグである前記第２送信装置から、前記第２情報を受信する
ことを特徴とする請求項３に記載のデジタルカメラ。
【請求項１０】
前記デジタルカメラは、更に、
当該デジタルカメラに備えられたシャッターボタンの押下を受け付けると、前記撮像手段と前記第２受信部とを連動して駆動させる駆動手段を備える
ことを特徴とする請求項９に記載のデジタルカメラ。
【請求項１１】
前記デジタルカメラは、更に、
無線電波を用いて通信を行う携帯電話機としての機能を備える
ことを特徴とする請求項１０に記載のデジタルカメラ。
【請求項１２】
前記受信手段は、前記被写体に貼付若しくは架設されているか、又は、前記被写体の近傍に設置されており、前記被写体に対応する画像加工を示す前記情報を記憶しているＩＣタグである前記送信装置から、前記情報を受信し、
前記判断手段は、前記第１画像に、前記情報により示される画像加工を施して出力すると判断し、
前記出力手段は、前記第１画像に前記画像加工を施して第２画像を生成し、生成した前記第２画像を前記メモリに出力する
ことを特徴とする請求項２に記載のデジタルカメラ。
【請求項１３】
前記デジタルカメラは、更に、
当該デジタルカメラに備えられたシャッターボタンの押下を受け付けると、前記撮像手段と前記受信手段とを連動して駆動させる駆動手段を備える
ことを特徴とする請求項１２に記載のデジタルカメラ。
【請求項１４】
前記出力手段は、前記画像加工に対応する画像加工プログラムを実行することにより、前記第１画像との相違を視覚的に認識可能である前記第２画像を生成する
ことを特徴とする請求項１３に記載のデジタルカメラ。
【請求項１５】
前記受信手段は、前記被写体についての説明を記述した文字データである前記情報を受信し、
前記判断手段は、前記第１画像に前記文字データを付加する加工を施して出力すると判断し、
前記出力手段は、前記第１画像に前記文字データを付加して第２画像を生成し、生成した前記第２画像を前記メモリに出力する
ことを特徴とする請求項１３に記載のデジタルカメラ。
【請求項１６】
前記受信手段は、前記第１画像の複製制限を示す著作権情報である前記情報を受信し、
前記判断手段は、前記第１画像に前記著作権情報を付加する加工を施して出力すると判断し、
前記出力手段は、前記第１画像に前記著作権情報を付加して第２画像を生成し、生成した前記第２画像を前記メモリに出力する
ことを特徴とする請求項１３に記載のデジタルカメラ。
【請求項１７】
前記受信手段は、前記第１画像に所定の画像加工を施すためのプログラムである前記情報を受信し、
前記判断手段は、前記プログラムを実行することにより前記第１画像に前記画像加工を施して出力するか、若しくは、前記第１画像に前記プログラムを付加する加工を施して出力するか判断し、
前記出力手段は、前記判断の結果に応じて、前記第１画像に前記加工を施すか、若しくは、前記第１画像に前記プログラムを付加する加工を施して第２画像を生成し、生成した前記第２画像を前記メモリに出力する
ことを特徴とする請求項１３に記載のデジタルカメラ。
【請求項１８】
被写体を撮影するデジタルカメラに装着され、撮影された画像を記憶するメモリカードであって、
前記デジタルカメラにより撮影されて生成された第１画像を、前記デジタルカメラから受け付ける画像受付手段と、
１以上の送信装置から、画像処理に係る情報を１以上受信する受信手段と、
受信した前記１以上の情報に基づき、前記第１画像を出力するか、前記第１画像を加工して出力するか、若しくは前記第１画像の出力を抑制するか判断する判断手段と、
前記判断の結果に応じて、記憶手段に，前記第１画像を出力するか、前記第１画像に加工を施して出力するか、若しくは前記第１画像を破棄する出力手段と、
前記出力手段から出力される画像を記憶する記憶手段と
を備えることを特徴とするメモリカード。
【請求項１９】
被写体を撮影するデジタルカメラと、前記被写体に貼付若しくは架設されているか、又は、前記被写体の近傍に設置された第１送信装置とから構成されるデジタルカメラシステムであって、
前記デジタルカメラは、
被写体を撮影して第１画像を生成する撮像手段と、
前記第１送信装置から、画像処理に係る第１情報を受信する受信手段と、
前記第１情報に基づき、前記第１画像を出力するか、前記第１画像を加工して出力するか、若しくは前記第１画像の出力を抑制するか判断する判断手段と、
前記判断の結果に応じて、外部又は内部の他の構成要素から読み出し可能なメモリに，前記第１画像を出力するか、前記第１画像に加工を施して出力するか、若しくは前記第１画像を破棄する出力手段とを備え、
前記第１送信装置は、
前記被写体に対応する画像処理に係る前記第１情報を記憶している第１情報記憶手段と、
前記第１情報を前記デジタルカメラに送信する送信手段とを備える
ことを特徴とするデジタルカメラシステム。
【請求項２０】
前記デジタルカメラシステムは、更に、第２送信装置を備え、
前記第２送信装置は、
画像加工に係る第２情報を記憶している・第２情報記憶手段と、
前記第２情報を前記デジタルカメラへ送信する送信手段とを備え、
前記受信手段は、更に、前記デジタルカメラを所持したユーザが前記第２送信装置を通過する際に、前記第２送信装置から前記第２情報を受信し、
前記出力手段は、第１画像を加工して出力すると判断された場合に、前記第１情報が示す画像処理に加え、前記第２情報が示す画像加工を、前記第１画像に施して、前記メモリに出力する
ことを特徴とする請求項１９に記載のデジタルカメラシステム。
【請求項２１】
前記デジタルカメラは、更に、
無線電波を用いて通信を行う携帯電話機としての機能を備える
ことを特徴とする請求項２０に記載のデジタルカメラシステム。
【請求項２２】
前記デジタルカメラシステムは、更に、
前記被写体の近傍に位置し、警報音を発する端末を備え、
前記デジタルカメラは、前記撮像手段による処理に連動して、前記端末へ信号を送信し、
前記端末は、
前記デジタルカメラから前記信号を受信する；信号受信手段と、
前記信号を受信すると警報音を発する警報音出力手段とを備える
ことを特徴とする請求項２１に記載のデジタルカメラシステム。
【請求項２３】
デジタルカメラで用いられるデジタルカメラ制御方法であって、
被写体を撮影して第１画像を生成する撮像ステップと、
１以上の送信装置から、画像処理に係る情報を１以上受信する受信ステップと、
受信した前記１以上の情報に基づき、前記第１画像を出力するか若しくは前記第１画像の出力を抑制するか判断する判断ステップと、
前記判断の結果に応じて、外部又は内部の他の構成要素から読み出し可能なメモリに、前記第１画像を出力するか若しくは前記第１画像を破棄する出力ステップと
を含むことを特徴とするデジタルカメラ制御方法。
【請求項２４】
デジタルカメラで用いられるデジタルカメラ制御プログラムであって、
被写体を撮影して第１画像を生成する撮像ステップと、
１以上の送信装置から、画像処理に係る情報を１以上受信する受信ステップと、
受信した前記１以上の情報に基づき、前記第１画像を出力するか若しくは前記第１画像の出力を抑制するか判断する判断ステップと、
前記判断の結果に応じて、外部又は内部の他の構成要素から読み出し可能なメモリに、前記第１画像を出力するか若しくは前記第１画像を破棄する出力ステップと
を含むことを特徴とするデジタルカメラ制御プログラム。
【請求項２５】
デジタルカメラで用いられるデジタルカメラ制御プログラムを記録しているコンピュータ読み取り可能な記録媒体であって、
前記デジタルカメラ制御プログラムは、
被写体を撮影して第１画像を生成する撮像ステップと、
１以上の送信装置から、画像処理に係る情報を１以上受信する受信ステップと、
受信した前記１以上の情報に基づき、前記第１画像を出力するか若しくは前記第１画像の出力を抑制するか判断する判断ステップと、
前記判断の結果に応じて、外部又は内部の他の構成要素から読み出し可能なメモリに、前記第１画像を出力するか若しくは前記第１画像を破棄する出力ステップと
を含むことを特徴とする記録媒体。
【発明の詳細な説明】
【技術分野】
【０００１】
本発明は、デジタルカメラに関し、特に、デジタルカメラで被写体を撮影し、生成された画像に画像処理を施す技術に関する。
【背景技術】
【０００２】
近年、デジタルカメラやカメラ付き携帯電話機が急速に普及してきている。
デジタルカメラは、一般的に、ユーザの入力を受け付けて、撮影した画像に当該画像の撮影日時、撮影条件、撮影場所などの副情報を埋め込む機能や、画像の圧縮形式や圧縮率などを指定し、指定された条件で画像処理を行う機能が備えられている。
また一方で、デジタルカメラやカメラ付き携帯電話機は、そのコンパクトさゆえ、美術館等カメラ撮影が禁止されている場所での撮影を取り締まることが困難である。更に、最近では、書店でのデジタル万引きが問題になっている。デジタル万引きとは、デジタルカメラやカメラ付き携帯電話機を用いて、書籍、雑誌を購入せずに書店の店頭で雑誌記事などを撮影する行為を言う。このようなカメラ撮影が禁止されている場所での撮影の取り締まり、及び、デジタル万引きを防止する技術が、特許文献１に開示されている。
【０００３】
上記文献によると、被写体には、赤外線ＬＥＤが点滅するタグが取り付けられており、デジタルカメラは、前記被写体の撮影に伴い赤外線ＬＥＤの点滅パターンを読み取る。デジタルカメラは、撮影した画像に読み取った点滅パターンにより示される副情報を埋め込んだり、点滅パターンにより示される画像処理を施したりする。
【特許文献１】特開２００１‐３２０７０２号公報
【発明の開示】
【発明が解決しようとする課題】
【０００４】
しかしながら、上記文献に開示されている技術では、デジタルカメラは、撮影した画像から赤外線ＬＥＤの点滅パターンを読み取るため、静止画を撮影したい場合であっても、動画を撮影して蓄積する必要があり、動画を蓄積することができる容量のメモリを備える必要がある。
また、撮影者がタグを何かで覆うことにより点滅パターンを隠すことは容易であり、撮影者が点滅パターンの見えない角度から被写体を撮影することも可能である。このような場合、デジタルカメラは点滅パターンを取得せず、画像処理が行われないという問題がある。
【０００５】
そこで本発明は上記の問題点に鑑みなされたものであって、動画を撮影して蓄積する必要がなく、更に、撮影者の意図とは無関係に、画像処理に係る情報を取得し、画像処理を行うデジタルカメラシステムを提供することを目的とする。
【課題を解決するための手段】
【０００６】
上記目的を達成するために、本発明は、デジタルカメラであって、被写体を撮影して第１画像を生成する撮像手段と、１以上の送信装置から、画像処理に係る情報を１以上受信する受信手段と、受信した前記１以上の情報に基づき、前記第１画像を出力するか若しくは前記第１画像の出力を抑制するか判断する判断手段と、前記判断の結果に応じて、外部又は内部の他の構成要素から読み出し可能なメモリに，前記第１画像を出力するか若しくは前記第１画像を破棄する出力手段とから構成されることを特徴とする。
【発明の効果】
【０００７】
上記の構成によると、当該デジタルカメラは、撮影者の意図とは無関係に、受信した情報に基づき、撮影した第１画像をメモリに出力するか、又は出力せずに破棄するかの処理を行うことができる。撮影者の意図とは無関係に第１画像を破棄することは、デジタル万引きの防止に利用することができる。
ここで、前記判断手段は、受信した前記１以上の情報に基づき、前記第１画像を出力するか、前記第１画像を加工して出力するか、若しくは前記第１画像の出力を抑制するか判断し、前記出力手段は、前記判断の結果に応じて、前記メモリに、前記第１画像を出力するか、前記第１画像に加工を施して出力するか、若しくは前記第１画像を破棄するように構成してもよい。
【０００８】
この構成によると、当該デジタルカメラは、更に、被写体を撮影すると、撮影した画像に画像加工を施すことができる。
ここで、前記受信手段は、第１送信装置から第１情報を受信する第１受信部と、第２送信装置から、前記被写体に対応する画像加工を示す第２情報を受信する第２受信部とを備え、前記判断手段は、前記第１情報に応じて、前記判断を行い、前記出力手段は、第１画像を加工して出力すると判断された場合に、前記第１画像に前記第２情報により示される前記画像加工を施して第２画像を生成し、生成した第２画像を前記メモリに出力するように構成してもよい。
【０００９】
この構成によると、画像加工を施すか否か、若しくは画像を破棄するかの判断に用いる第１情報と、画像加工自体を示す第２情報とを分けることにより、第１及び第２情報の組み合わせによって、実施の形態に記載するような、多様なシステムを実現することができる。
ここで、前記出力手段は、前記第１画像に、前記画像加工を施すことにより、当該第１画像との相違を、視覚的に認識可能である前記第２画像を生成するように構成してもよい。
【００１０】
この構成によると、デジタルカメラは、画像加工を施すことにより第１画像と視覚的に異なる第２画像を生成するので、例えば、撮影が禁止されている被写体を撮影した場合に、被写体の画像にモザイク処理を施し被写体を識別不可能にすることができる。この様な仕組みは著作権の保護、肖像権の保護に利用可能である。
ここで、前記判断手段は、前記第２受信部が前記第２情報を受信すると、前記第１情報を受信したか否か判定し、前記第１情報を受信したと判定する場合に、前記第１画像を加工して出力すると判断するように構成してもよい。
【００１１】
この構成によると、デジタルカメラは、第１情報を受信するか否かによって、画像加工を施すか否かを制御することができる。
これは、例えば、書店の入口に第１送信装置を設置しておき、デジタルカメラを所持したユーザが書店に入ると、ユーザの意図とは無関係に当該デジタルカメラは第１情報を受信する。また、書店内の書籍、雑誌等に第２送信装置が貼付されているとすると、デジタルカメラで書籍等を撮影すると、ユーザの意図とは無関係に当該デジタルカメラは第２情報を受信し、撮影した画像に画像加工を施すことで、デジタル万引きを防止することができる。
【００１２】
ここで、前記第１情報は、画像加工を示す情報を含み、前記判断手段は、前記第２受信部が前記第２情報を受信すると、前記第１情報を受信したか否か判定し、前記第１情報を受信したと判定する場合に、前記第１画像を加工して出力すると判断し、前記出力手段は、第１画像を加工して出力すると判断された場合に、前記第２情報が示す画像加工に加え、前記第１情報が示す画像加工を、前記第１画像に施して、前記第２画像を生成するように構成してもよい。
【００１３】
この構成によると、デジタルカメラは、第２情報が示す画像加工だけでなく、第１情報が示す画像加工を施すので、撮影した画像に、更に複雑な画像処理を施すことができる。
ここで、前記判断手段は、前記第２受信部が前記第２情報を受信すると、前記第１情報を受信したか否か判定し、前記第１情報を受信したと判定する場合に、前記第１画像を出力すると判断し、前記出力手段は、前記第１画像を出力すると判断された場合に、前記第１画像を前記メモリに出力するように構成してもよい。
【００１４】
この構成によると、例えば、ユーザが対価を支払うことを条件に、デジタルカメラが第１送信装置から第１情報を受信可能であるとする。その後、デジタルカメラは、被写体を撮影し、第２送信装置からモザイク処理を示す第２情報を受信するものとする。
この様な場合であっても、デジタルカメラは、撮影した画像にモザイク処理を施さないよう制御することができる。即ち、被写体を撮影する権利を購入する仕組みとして利用することができる。
【００１５】
ここで、前記判断手段は、前記第２受信部が前記第２情報を受信すると、前記第１情報を受信したか否か判定し、前記第１情報を受信したと判定する場合に、前記第１画像の出力を抑制すると判断し、前記出力手段は、前記第１画像の出力を抑制すると判断された場合に、前記第１画像を破棄するように構成してもよい。
この構成によると、撮影が禁止されている場所に第１送信装置を設置することにより、撮影した画像を消去するので、不正に被写体が撮影される被害を防止することができる。
【００１６】
ここで、前記第１受信部は、前記第１情報を記憶しており、当該デジタルカメラを所持したユーザが通過するゲートである前記第１送信装置から、前記第１情報を受信し、前記第２受信部は、前記被写体に貼付若しくは架設されているか、又は、前記被写体の近傍に設置されており、前記第２情報を記憶しているＩＣタグである前記第２送信装置から、前記第２情報を受信するように構成してもよい。
【００１７】
この構成によると、ＩＣタグは微小なコンピュータであるため、被写体に貼付又は架設したり、被写体の近傍に設置したりしても撮影の邪魔にならない。またユーザが通過するゲートを第２送信装置とすることにより、ある一定の領域の入口又は出口に前記ゲートを設置し、前記領域内でのみ画像処理を施すことができる。
ここで、前記デジタルカメラは、更に、当該デジタルカメラに備えられたシャッターボタンの押下を受け付けると、前記撮像手段と前記第２受信部とを連動して駆動させる駆動手段を備えることを特徴とする。
【００１８】
この構成によると、被写体を撮影するために、ユーザがデジタルカメラのシャッターボタンを押下することにより、当該デジタルカメラは撮影と連動してＩＣタグから画像処理に係る情報を取得するため、撮影された前記第１画像に対応する画像処理を施すことができる。
ここで、前記デジタルカメラは、無線電波を用いて通信を行う携帯電話機としての機能を備えることを特徴とする。
【００１９】
当該デジタルカメラは、所謂カメラ付き携帯電話機である。カメラ付き携帯電話機はデジタルカメラと比較して小型であるため、デジタルカメラより更にカメラ撮影が禁止された場所での撮影規制が困難である。しかしながら、この構成により、当該カメラ付き携帯電話機は、送信装置から画像処理に係る情報を受信して前記情報に従い画像処理を施すため、動画を蓄積する必要もなく、ユーザの意図とは無関係に画像処理を施すができる。
【００２０】
ここで、前記受信手段は、前記被写体に貼付若しくは架設されているか、又は、前記被写体の近傍に設置されており、前記被写体に対応する画像加工を示す前記情報を記憶しているＩＣタグである前記送信装置から、前記情報を受信し、前記判断手段は、前記第１画像に、前記情報により示される画像加工を施して出力すると判断し、前記出力手段は、前記第１画像に前記画像加工を施して第２画像を生成し、生成した前記第２画像を前記メモリに出力するように構成してもよい。
【００２１】
この構成によると、ＩＣタグには被写体毎に対応する画像加工に係る情報が記憶されているため、画像加工を施すと判断する場合には、被写体毎に画像加工を施すことができる。また、ＩＣタグは微小なコンピュータであり、被写体に貼付又は架設したり、被写体の近傍に設置したりしても撮影の邪魔にならない。
ここで、前記デジタルカメラは、更に、当該デジタルカメラに備えられたシャッターボタンの押下を受け付けると、前記撮像手段と前記受信手段とを連動して駆動させる駆動手段を備えることを特徴とする。
【００２２】
この構成によると、被写体を撮影するために、ユーザがデジタルカメラのシャッターボタンを押下することにより、当該デジタルカメラは撮影と連動してＩＣタグから画像処理に係る情報を取得するため、撮影された前記第１画像に対応する画像処理を施すことができる。
ここで、前記出力手段は、前記画像加工に対応する画像加工プログラムを実行することにより、前記第１画像との相違を視覚的に認識可能である前記第２画像を生成するように構成してもよい。
【００２３】
この構成によると、デジタルカメラは、画像加工に関する情報を受信することにより、撮影された前記第１画像にモザイク処理を施したり、色調変換を施したり、画素数を指定したりすることにより、ユーザの意図とは無関係に画像加工を施すことができる。例えば、美術館などカメラ撮影が禁止されている場所で撮影された画像を、著作権保護の観点からモザイク処理等を施すことも可能である。
【００２４】
ここで、前記受信手段は、前記被写体についての説明を記述した文字データである前記情報を受信し、前記判断手段は、前記第１画像に前記文字データを付加する加工を施して出力すると判断し、前記出力手段は、前記第１画像に前記文字データを付加して第２画像を生成し、生成した前記第２画像を前記メモリに出力するように構成してもよい。
この構成によると、例えば、商品を販売している店舗等において、各商品に、商品情報を記憶したＩＣタグを貼付することにより、当該デジタルカメラは、各商品を撮影することにより、各商品の画像と共に商品情報を取得することができる。これにより、ユーザは、自身がデジタルカメラで撮影した商品についての商品情報を知りたいと思った場合に、改めて商品情報を調べたり、問い合わせたりする必要がなく便利である。また、ユーザの購買意欲が高まる可能性もある。
【００２５】
ここで、前記受信手段は、前記第１画像の複製制限を示す著作権情報である前記情報を受信し、前記判断手段は、前記第１画像に前記著作権情報を付加する加工を施して出力すると判断し、前記出力手段は、前記第１画像に前記著作権情報を付加して第２画像を生成し、生成した前記第２画像を前記メモリに出力するように構成してもよい。
この構成によると、当該デジタルカメラで撮影された画像の無制限な複製を抑制することができる。
【００２６】
ここで、前記受信手段は、前記第１画像に所定の画像加工を施すためのプログラムである前記情報を受信し、前記判断手段は、前記プログラムを実行することにより前記第１画像に前記画像加工を施して出力するか、若しくは、前記第１画像に前記プログラムを付加する加工を施して出力するか判断し、前記出力手段は、前記判断の結果に応じて、前記第１画像に前記加工を施すか、若しくは、前記第１画像に前記プログラムを付加する加工を施して第２画像を生成し、生成した前記第２画像を前記メモリに出力するように構成してもよい。
【００２７】
この構成によると、デジタルカメラは、ＩＣタグから受信するプログラムに従い、ユーザの意図とは無関係に前記第１画像に種々の画像加工を施すことができる。また、前記第１画像に前記プログラムを付加して前記第２画像を生成することにより、前記第２画像が所定のアプリケーションプログラムを用いて開かれた場合にも、前記プログラムに従い前記第２画像に対して種々の画像加工を施すことができる。
【発明を実施するための最良の形態】
【００２８】
本本発明に係る実施の形態として、デジタルカメラシステム１０について図面を参照して説明する。
＜概要＞
図１は、デジタルカメラシステム１０の構成を示す構成図である。
デジタルカメラシステム１０は、デジタルカメラ１００、ゲート２００、ＩＣタグ３００、ＩＣタグ４００、ＩＣタグ５００、メモリカード６００及びゲート７００から構成される。
【００２９】
デジタルカメラ１００は、ユーザが所持しており、当該ユーザにより使用される。ゲート２００は、展示場入口に設けられているとする。デジタルカメラ１００を所持したユーザは、ゲート２００を通過して展示場に入場する。
被写体Ａは、場内に展示されているプラズマテレビであって、プラズマテレビには、ＩＣタグ３００が貼付されている。被写体Ｂは、場内に展示されているペットロボットであって、ペットロボットの首にＩＣタグ４００が架設されている。被写体Ｃは、場内に展示されている携帯電話機であって、携帯電話機の近傍には、ＩＣタグ５００が設置されている。
【００３０】
ユーザは、デジタルカメラ１００を用いて被写体Ａ、被写体Ｂ及び被写体Ｃを撮影する。メモリカード６００は、図１には明示していないが、画像記録用のカード型メモリであって、デジタルカメラ１００のカードスロットに挿入されているものとする。ゲート７００は、展示場出口に設けられており、デジタルカメラ１００を所持したユーザは、ゲート７００を通過して展示場から退場する。
【００３１】
＜構成＞
ここでは、デジタルカメラシステム１０の構成について説明する。
１．デジタルカメラ１００
図２は、デジタルカメラ１００の構成を示すブロック図である。同図に示す様に、デジタルカメラ１００は、撮像部１０１、アナログフロントエンド１０２、通信部１０３、モード記憶部１０４、画像処理部１０５、駆動部１０６、制御部１０７、表示部１０８、操作部１０９及びメモリカード入出力部１１０から構成される。
【００３２】
デジタルカメラ１００は、具体的には、レンズ、シャッターボタン等の各種ボタン、マイクロプロセッサ、ＲＯＭ、ＲＡＭ、ディスプレィ、メモリカードスロットなどを備える。
（１）撮像部１０１
撮像部１０１は、レンズ及び撮像素子から構成される。
【００３３】
撮像素子は、半導体基板上に複数の光電変換素子が二次元行列状に設けられて構成される。個々の光電変換素子は複数色のうち所定の一色の色フィルタを受光面に有し、駆動部１０６から供給される駆動信号によって示される期間、被写体から、レンズを介して受けた光を電荷に変換する。なお、ここでは、３００万画素に相当する光電変換素子が配列されているものとする。
【００３４】
撮像素子は、個々の光電変換素子が変換した電荷を個別に読み出すか、又は、前記光電変換素子が配置される行列をＬ行Ｃ列（６≦Ｌ、６≦Ｃ、Ｌ、Ｃは何れも偶数）の大きさに区切ってなる部分ごとに、その部分に配置される同じ色に関係する全ての光電変換素子が変換した電荷を一つに集積して読み出し、読み出した電荷に応じた画像信号をアナログフロントエンド１０２へ出力する。
【００３５】
（２）アナログフロントエンド１０２
アナログフロントエンド１０２は、撮像部１０１から画像信号を受け取り、受け取った画像信号を、相関二重サンプリング（ＣＤＳ：Correlated Double Sampling）、自動利得調整（ＡＧＣ：Auto Gain Control）した後、デジタル画像信号へ変換する。アナログフロントエンド１０２は、デジタル画像信号を画像処理部１０５へ出力する。
【００３６】
（３）通信部１０３
通信部１０３は、アンテナを備え、ゲート２００、ゲート７００、ＩＣタグ３００、ＩＣタグ４００及びＩＣタグ５００それぞれと通信を行う。
より具体的には、通信部１０３は、ゲート２００から送信されるモード情報を受信し、受信したモード情報をモード記憶部１０４に出力する。同様に、通信部１０３は、ゲート７００から送信されるモード情報を受信し、受信したモード情報をモード記憶部１０４に出力する。モード情報については後述する。
【００３７】
また、通信部１０３は、撮像部１０１による被写体Ａの撮影と連動して、被写体Ａに貼付されているＩＣタグ３００との間で電波の送受信を行う。より詳しくは、駆動部１０６から供給される駆動信号によって示される期間において、通信部１０３は、ＩＣタグ３００へ電波を送信し、その後、ＩＣタグ３００から送信される電波を受信する。通信部１０３は、ＩＣタグ３００から受信した電波から、画像処理情報を抽出して、抽出した画像処理情報を画像処理部１０５へ出力する。
【００３８】
同様に、通信部１０３は、撮像部１０１による被写体Ｂの撮影と連動して、被写体Ｂに架設されているＩＣタグ４００との間で電波の送受信を行い、受信した電波から画像処理情報を抽出し、抽出した画像処理情報を画像処理部１０５へ出力する。
同様に、通信部１０３は、撮像部１０１による被写体Ｃの撮影と連動して、被写体Ｃの近傍に設置されているＩＣタグ５００との間で電波の送受信を行い、受信した電波から画像処理情報を抽出し、抽出した画像処理情報を画像処理部１０５へ出力する。
【００３９】
（４）モード記憶部１０４
モード記憶部１０４は、内部にモード情報を記憶している。モード情報は、画素数に関する情報であり、「画素数選択モード」又は「画素数固定モード／１００メガピクセル」の何れかである。
モード情報が、「画素数選択モード」に設定されているとき、操作部１０９は、ユーザの操作による画素数の選択を受け付け、制御部１０７は、画像処理部１０５から受け取る画像データを、ユーザにより選択された画素数に従い、メモリカード入出力部１１０を介してメモリカード６００に書き込む。
【００４０】
モード情報が、「画素数固定モード／１００メガピクセル」に設定されているとき、操作部１０９は、ユーザの操作による画素数の選択を受け付けず、制御部１０７は、画像処理部１０５から受け取る画像データを、指定の画素数「１００メガピクセル」で、メモリカード入出力部１１０を介してメモリカード６００に書き込む。即ち、「画素数固定モード／１００メガピクセル」は、ユーザの意向とは無関係に記録時の画素数が「１００メガピクセル」に設定されることを示す。
【００４１】
通常、モード記憶部１０４は、モード情報として「画素数選択モード」を記憶しているものとする。デジタルカメラ１００を所持したユーザが、ゲート２００を通過して展示場に入場する際、モード記憶部１０４は、通信部１０３を介してゲート２００から「画素数固定モード／１００メガピクセル」を示すモード情報を受信する。モード記憶部１０４は、それまで記憶していた「画素数選択モード」に替えて、受信した「画素数固定モード／１００メガピクセル」を記憶する。また、デジタルカメラ１００を所持したユーザが、ゲート７００を通過して展示場から退場する際、モード記憶部１０４は、通信部１０３を介してゲート７００から「画素数選択モード」を示すモード情報を受信する。モード記憶部１０４は、それまで記憶していた「画素数固定モード／１００メガピクセル」に替えて、受信した「画素数選択モード」を記憶する。
【００４２】
即ち、モード記憶部１０４は、ゲート２００とゲート７００とにより挟まれた展示場の内部では、図３（ａ）に示すように、「画素数固定モード／１００メガピクセル」を示すモード情報を記憶しており、展示場の外部では、図３（ｂ）に示すように、「画素数選択モード」を示すモード情報を記憶している。
ここで、図３（ｃ）は、モード記憶部１０４が、「画素数固定モード／１００メガピクセル」を記憶している場合において、表示部１０８に表示される画素数選択画面１１８を示す図である。画面に記された「１００」、「２００」、「３００」は、画素数を示し、ここでは「１００」が選択されている。また、画面内下方には、「画素数固定モードのため変更不可！」というメッセージが表示される。
【００４３】
（５）画像処理部１０５
画像処理部１０５は、マイクロプロセッサ、ＲＯＭ、ＲＡＭなどから構成される。画像処理部１０５は、アナログフロントエンド１０２からデジタル画像信号を受け取り、通信部１０３から画像処理情報を受け取る。画像処理部１０５は、画像処理情報に基づきデジタル画像信号に画像処理を施して画像データを生成する。以下、具体的に説明する。
【００４４】
画像処理部１０５は、アナログフロントエンド１０２から被写体Ａに対応するデジタル画像信号１２１を受け取り、通信部１０３から、画像処理情報１２２を受け取る。画像処理情報１２２は、被写体Ａに貼付されたＩＣタグ３００から受信した情報であり、被写体Ａに関する説明が記述された文字データである。画像処理部１０５は、デジタル画像信号１２１に文字データを付加する画像処理を施して、図４（ａ）に示す画像データ１２０を生成する。ここでは、画像処理部１０５は、デジタルカメラ用の画像フォーマットである「Ｅｘｉｆ（Exchangeable image file Format）」で規定されているユーザフィールドや、ＪＰＥＧ（Joint Photographic Experts Group）フォーマットで規定されているコメントセグメントなどを用いて、デジタル画像信号１２１に文字データを付加するものとする。画像処理部１０５は、生成した画像データ１２０を制御部１０７へ出力する。
【００４５】
また、画像処理部１０５は、アナログフロントエンド１０２から被写体Ｂに対応するデジタル画像信号１３１を受け取り、通信部１０３から、画像処理情報１３２を受け取る。画像処理情報１３２は、被写体Ｂに架設されたＩＣタグ４００から受信した情報であり、被写体Ｂに関する著作権情報である。画像処理部１０５は、デジタル画像信号１３１に著作権情報を付加する画像処理を施して、図４（ｂ）に示す画像データ１３０を生成する。画像処理部１０５は、生成した画像データ１３０を制御部１０７へ出力する。具体的に、画像処理部１０５は、ＥｘｉｆのユーザフィールドやＪＰＥＧのコメントセグメントなどを用いて、デジタル画像信号１３１に、著作権情報を付加するものとする。
【００４６】
また、画像処理部１０５は、アナログフロントエンド１０２から被写体Ｃに対応するデジタル画像信号を受け取り、通信部１０３から、画像処理情報を受け取る。ここで受け取る画像処理情報は、被写体Ｃの近傍に設置されたＩＣタグ５００から受信した情報であり、デジタル画像信号にモザイク処理を施すためのプログラムである。画像処理部１０５は、前記プログラムを読み込み、実行することにより、デジタル画像信号にモザイク処理を施して、図４（ｃ）に示す画像データ１４０を生成する。画像処理部１０５は、生成した画像データ１４０を制御部１０７へ出力する。なお、デジタル画像信号にモザイク処理を施す技術については、公知であるため、ここでは説明を省略する。
【００４７】
（６）駆動部１０６
駆動部１０６は、操作部１０９が受け付ける各種の操作に応じて複数の駆動信号を生成し、生成した駆動信号を各部へ供給する。
一例として、駆動部１０６は、操作部１０９のシャッターボタンが押下されたことを示す制御信号を制御部１０７から受け取ると、第１信号と第２信号とを生成する。第１信号は撮像部１０１へ供給され、第２信号は通信部１０３へ供給される。撮像部１０１が第１信号に従い動作し、通信部１０３が第２信号に従い動作することにより、画像処理部１０５は、被写体を撮影して生成されたデジタル画像信号と、当該被写体に貼付されるか、架設されるか、近傍に設置されるＩＣタグから受信した画像処理情報とを１対１に対応付けて処理することができる。
【００４８】
（７）制御部１０７
制御部１０７は、具体的にはマイクロプロセッサ、ＲＯＭ、ＲＡＭなどから構成されており、ＲＯＭ又はＲＡＭに格納されているコンピュータプログラムをマイクロプロセッサが実行することにより、デジタルカメラ１００の全体を制御する。
ここでは特に、操作部１０９のシャッターボタンが押下された場合の処理について説明する。
【００４９】
制御部１０７は、シャッターボタンが押下されたことを示す操作信号を操作部１０９から受け取ると、シャッターボタンの押下を示す制御信号を生成し、生成した制御信号を駆動部１０６へ出力する。
前記制御信号に対応して、駆動部１０６、撮像部１０１及びアナログフロントエンド１０２により、被写体Ａの撮影処理が行われ、駆動部１０６、通信部１０３及び画像処理部１０５により被写体Ａに対応した画像データ１２０（図４（ａ）参照）が生成されたとする。
【００５０】
制御部１０７は、画像処理部１０５から画像データ１２０を受け取る。制御部１０７は、モード記憶部１０４に記憶されているモード情報を読み出す。ここで読み出されるモード情報は、「画素数固定モード／１００メガピクセル」である（図３（ａ）参照）。
制御部１０７は、画像処理部１０５から受け取った画像データ１２０を画素数が１００メガピクセルとなるように処理する。制御部１０７は、処理された画像データ１２０をメモリカード入出力部１１０を介してメモリカード６００へ書き込む。
【００５１】
同様に、被写体Ｂが撮影されて画像データ１３０が生成されると、制御部１０７は、画像処理部１０５から画像データ１３０を受け取り、受け取った画像データ１３０の画素数が１００メガピクセルとなるように処理し、メモリカード入出力部１１０を介してメモリカード６００に書き込む。
同様に、被写体Ｃが撮影されて画像データ１４０が生成されると、制御部１０７は、画像処理部１０５から画像データ１４０を受け取り、受け取った画像データ１４０の画素数が１００メガピクセルとなるように処理し、メモリカード入出力部１１０を介してメモリカード６００に書き込む。
【００５２】
（８）表示部１０８
表示部１０８は、ディスプレィを備え、制御部１０７から出力される操作用画面をディスプレィに表示する。操作用画面の一例は、図３（ｃ）に示した画素数選択画面１１８である。
また、表示部１０８は、メモリカード６００に記録されている画像データ１２０、画像データ１３０及び画像データ１４０をディスプレィに表示する。
【００５３】
（９）操作部１０９
操作部１０９は、シャッターボタン等の複数の操作ボタンを備え、ユーザにより、各操作ボタンが押下されると、押下された操作ボタンを示す操作信号を生成し、生成した操作信号を制御部１０７へ出力する。
（１０）メモリカード入出力部１１０
メモリカード入出力部１１０は、具体的にはメモリカードスロット等から構成される。メモリカード入出力部１１０は、メモリカードスロットにメモリカード６００が挿入された状態で、制御部１０７から出力される画像データ１２０、画像データ１３０及び画像データ１４０をメモリカード６００に書き込む。また、メモリカード入出力部１１０は、メモリカード６００に記憶されている画像データ１２０、画像データ１３０及び画像データ１４０を表示部１０８のディスプレィに表示する場合に、メモリカード６００から各画像データを読み出し、制御部１０７を介して表示部１０８に出力する。
【００５４】
２．ゲート２００
ゲート２００は、図１に示す様に展示場の入口に設けられており、デジタルカメラ１００を所持したユーザは、ゲート２００を通過して展示場に入場するものとする。図１に示したゲート２００の形状は一例であり、ゲート２００は、内部にマイクロプロセッサ、ＲＯＭ、ＲＡＭ等を備え、図５に示す様な、電源供給部２０１、制御部２０２、メモリ２０３及び通信部２０４の各機能を有するコンピュータシステムであれば、形状は限定されない。
【００５５】
（１）電源供給部２０１
電源供給部２０１は、接続された外部の電源から電力の供給を受け、ゲート２００を構成する各部に電力を供給する。
（２）制御部２０２
制御部２０２は、具体的には、マイクロプロセッサ、ＲＯＭ、ＲＡＭなどから構成される。ＲＯＭ又はＲＡＭに記憶されているコンピュータプログラムを、マイクロプロセッサが実行することにより、制御部２０２は、ゲート２００の全体を制御する。
【００５６】
制御部２０２は、電源供給部２０１から電源の供給を受け、メモリ２０３が記憶している情報を読み出して通信部２０４へ出力する。
（３）メモリ２０３
メモリ２０３は、内部に、「画素数固定モード／１００メガピクセル」を示すモード情報を記憶している。
【００５７】
（４）通信部２０４
通信部２０４は、アンテナを備える。通信部２０４は、制御部２０２からモード情報「画素数固定モード／１００メガピクセル」を受け取り、受け取ったモード情報を、電波に乗せて送信する。
なお、通信部２０４から送信される電波は、デジタルカメラ１００の通信部１０３に備えられるアンテナによって受信される。即ち、ゲート２００を通過する以前にモード情報が「画素数選択モード」に設定されているデジタルカメラ１００は、ゲート２００を通過することにより、通信部２０４から送信される電波を受信し、内部のモード情報「画素数選択モード」を「画素数固定モード／１００メガピクセル」に変更して記憶する。
【００５８】
３．ＩＣタグ３００
ＩＣタグ３００は、図１に示す様に、被写体Ａに貼付されている。ＩＣタグ３００は、内部に電池を持たず、デジタルカメラ１００から送信される起動信号を受信し、共振作用により起電力を発生させて、デジタルカメラ１００と通信を行う非接触型データキャリアである。
【００５９】
図６は、ＩＣタグ３００の構成を示す図である。同図に示す様に、ＩＣタグ３００は、アンテナ３０１とＩＣチップ３０２とから構成される。
（１）アンテナ３０１
アンテナ３０１は、デジタルカメラ１００の通信部１０３から送信される起動信号を受信し、受信した起動信号をＩＣチップ３０２の受信部３０３へ出力する。また、アンテナ３０１は、ＩＣチップ３０２の送信部３０６から受け取る送信信号を、所定周波数の電波、電磁波、又はマイクロ波等に乗せて、デジタルカメラ１００へ送信する。
【００６０】
（２）ＩＣチップ３０２
ＩＣチップ３０２は、図６に示す様に、受信部３０３、電源整流部３０４、メモリ３０５及び送信部３０６から構成される。具体的には、ＩＣチップ３０２は、ＣＰＵ、マスクＲＯＭ、ＥＥＰＲＯＭ、ＲＡＭなどから構成される微小なコンピュータシステムである。
（ａ）受信部３０３
受信部３０３は、アンテナ３０１を介してデジタルカメラ１００から起動信号を受け取り、受け取った起動信号を電源整流部３０４へ出力する。
【００６１】
（ｂ）電源整流部３０４
電源整流部３０４は、アンテナ３０１を介してデジタルカメラ１００から受信した起動信号を受信部３０３から受け取り、共振作用により起動信号をエネルギーに変換して起電力を発生させる。電源整流部３０４が起電力を発生すると、ＩＣチップ３０２内の回路が起動し、ＩＣチップ３０２は、デジタルカメラ１００との間で通信を開始する。
【００６２】
（ｃ）メモリ３０５
メモリ３０５は、具体的にはＲＡＭである。ここでは、メモリ３０５には、予め被写体Ａに係る画像処理情報１２２が書き込まれているものとする。メモリ３０５が記憶している画像処理情報１２２は、被写体Ａを説明する商品情報であって、「４２ｖ型プラズマテレビ  価格：４９８，０００円」を示す文字データである。
【００６３】
（ｄ）送信部３０６
送信部３０６は、電源整流部３０４から電力の供給を受けてメモリ３０５に記憶されている画像処理情報１２２「４２ｖ型プラズマテレビ  価格：４９８，０００円」を読み出す。送信部３０６は、読み出した画像処理情報１２２を送信信号に変換してアンテナ３０１を介してデジタルカメラ１００に送信する。
【００６４】
４．ＩＣタグ４００
ＩＣタグ４００は、図１に示す様に、被写体Ｂに架設されている。ＩＣタグ４００は、ＩＣタグ３００と同様に、内部に電池を持たない非接触型データキャリアである。
ＩＣタグ４００は、アンテナとＩＣチップとから構成され、更に、ＩＣチップは、受信部、電源整流部、メモリ及び送信部から構成される。なお、ＩＣタグ４００は、図６に示したＩＣタグ３００と同様の構成を有するため、ＩＣタグ４００の構成は図示していない。
【００６５】
アンテナは、デジタルカメラ１００の通信部１０３から送信される起動信号を受信し、受信した起動信号をＩＣチップの受信部へ出力する。また、アンテナは、ＩＣチップの送信部から受け取る送信信号を、所定周波数の電波、電磁波、又はマイクロ波等に乗せて、デジタルカメラ１００へ送信する。
ＩＣチップは、具体的には、ＣＰＵ、マスクＲＯＭ、ＥＥＰＲＯＭ、ＲＡＭなどから構成される微小なコンピュータシステムである。
【００６６】
受信部は、アンテナを介してデジタルカメラ１００から起動信号を受け取り、受け取った起動信号を電源整流部へ出力する。
電源整流部は、アンテナを介してデジタルカメラ１００から受信した起動信号を、受信部から受け取り、共振作用により起動信号をエネルギーに変換して起電力を発生させる。電源整流部が起電力を発生するとＩＣチップ内の回路が起動し、ＩＣチップは、デジタルカメラ１００との通信を開始する。
【００６７】
メモリは、ＲＡＭであって、予め被写体Ｂに係る画像処理情報１３２が書き込まれているものとする。メモリが記憶している画像処理情報１３２は、具体的には、被写体Ｂの著作権情報であって、「ＣＯＰＹ  ＮＥＶＥＲ」を示す文字データである。なお、画像処理情報１３２は、文字データではなく、コピー禁止を示すフラグであってもよい。
送信部は、電源整流部から電力の供給を受けてメモリに記憶されている画像処理情報１３２「ＣＯＰＹ  ＮＥＶＥＲ」を読み出す。送信部は、画像処理情報１３２を送信信号に変換してアンテナを介してデジタルカメラ１００に送信する。
【００６８】
５．ＩＣタグ５００
ＩＣタグ５００は、図１に示す様に、被写体Ｃの近傍に設置されている。ＩＣタグ５００は、ＩＣタグ３００及びＩＣタグ４００と同様に、内部に電池を持たない非接触型データキャリアである。
ＩＣタグ５００は、アンテナとＩＣチップとから構成され、更に、ＩＣチップは、受信部、電源整流部、メモリ及び送信部から構成される。なお、ＩＣタグ５００は、図６に示したＩＣタグ３００と同様の構成を有するため、ＩＣタグ５００の構成は図示していない。
【００６９】
アンテナは、デジタルカメラ１００の通信部１０３から送信される起動信号を受信し、受信した起動信号をＩＣチップの受信部へ出力する。また、アンテナは、ＩＣチップの送信部から受け取る送信信号を、所定周波数の電波、電磁波、又はマイクロ波等に乗せて、デジタルカメラ１００へ送信する。
ＩＣチップは、具体的には、ＣＰＵ、マスクＲＯＭ、ＥＥＰＲＯＭ、ＲＡＭなどから構成される微小なコンピュータシステムである。
【００７０】
受信部は、アンテナを介してデジタルカメラ１００から起動信号を受け取り、受け取った起動信号を電源整流部へ出力する。
電源整流部は、アンテナを介してデジタルカメラ１００から受信した起動信号を、受信部から受け取り、共振作用により起動信号をエネルギーに変換して起電力を発生させる。電源整流部が起電力を発生するとＩＣチップ内の回路が起動し、ＩＣチップはデジタルカメラ１００との間で通信を開始する。
【００７１】
メモリは、ＲＡＭであって、予め被写体Ｃに係る画像処理情報が書き込まれているものとする。メモリが記憶している画像処理情報は、具体的には、被写体Ｃの画像データにモザイク処理を施すためのプログラムである。
送信部は、電源整流部から電力の供給を受けてメモリに記憶されているプログラムを読み出す。送信部は、読み出したプログラムを送信信号に変換してアンテナを介してデジタルカメラ１００に送信する。
【００７２】
６．メモリカード６００
メモリカード６００は、デジタルカメラ１００のメモリカードスロットに挿入して用いられる画像記録用のメモリであり、メモリ制御部と記憶部とから構成される。
メモリ制御部は、デジタルカメラ１００のメモリカード入出力部１１０から受け取る画像データ１２０、画像データ１３０及び画像データ１４０を記憶部に書き込む。
【００７３】
記憶部は、具体的にはフラッシュメモリである。記憶部は、メモリ制御部から受け取る画像データ１２０、画像データ１３０及び画像データ１４０を記憶する。
７．ゲート７００
ゲート７００は、図１に示す様に、展示場の出口に設けられており、デジタルカメラ１００を所持したユーザは、ゲート７００を通過して展示場から退場するものとする。
【００７４】
なお、図１に示したゲート７００の形状は、ゲート２００と同様に一例であり、ゲート７００は、内部にマイクロプロセッサ、ＲＯＭ、ＲＡＭ等を備えるコンピュータシステムであれば、形状は限定されない。
ゲート７００は、外部の電源に接続された電源供給部、ゲート７００の全体を制御する制御部、モード情報を記憶しているメモリ及びデジタルカメラ１００とデータ通信を行う通信部から構成される。なお、ゲート７００は、図５に示したゲート２００と同様の構成を有するため、ゲート７００の構成は図示していない。
【００７５】
メモリは、「画素数選択モード」を示すモード情報を記憶しており、通信部を介してモード情報を電波に乗せて送信する。通信部から送信された電波は、デジタルカメラ１００の通信部１０３に備えられたアンテナにより受信される。
即ち、ゲート７００を通過する以前にモード情報が「画素数固定モード／１００メガピクセル」に設定されているデジタルカメラ１００は、ゲート７００を通過することにより、ゲート７００の通信部から送信される電波を受信し、内部のモード情報「画素数固定モード／１００メガピクセル」を、「画素数選択モード」に変更して記憶する。
【００７６】
＜動作＞
ここでは、デジタルカメラシステム１０の動作について、図７及び図８に示すフローチャートを用いて説明する。
１．全体の動作
図７は、デジタルカメラシステム１０全体の動作を示すフローチャートである。
【００７７】
ゲート２００は、「画素数固定モード／１００メガピクセル」を示すモード情報を送信し、デジタルカメラ１００の通信部１０３は、ゲート２００から送信されるモード情報「画素数固定モード／１００メガピクセル」を受信する（ステップＳ１０１）。
デジタルカメラ１００の通信部１０３は、受信したモード情報「画素数固定モード／１００メガピクセル」をモード記憶部１０４へ出力する。モード記憶部１０４は、それまで記憶していた「画素数選択モード」を、「画素数固定モード／１００メガピクセル」に替えて記憶することにより、画素数固定モードに設定する（ステップＳ１０２）。
【００７８】
続いて、操作部１０９のシャッターボタンがユーザによる押下を受け付けると（ステップＳ１０３）、操作部１０９はシャッターボタンの押下に対応する操作信号を、生成して制御部１０７へ出力する。制御部１０７は、操作信号を制御信号に変換し、制御信号を駆動部１０６へ出力する。駆動部１０６は、シャッターボタンの押下に対応する制御信号を受け取ると、第１信号と第２信号とを生成して、第１信号を撮像部１０１へ供給し、第２信号を通信部１０３へ供給する。
【００７９】
撮像部１０１は、駆動部１０６から供給される第１信号に従い、被写体を撮影し（ステップＳ１０４）、画像信号を生成して、生成した画像信号をアナログフロントエンド１０２へ出力する。アナログフロントエンド１０２は、撮像部１０１から画像信号を受け取り、受け取った画像信号にＡ／Ｄ変換を施し（ステップＳ１０５）、デジタル画像信号を生成する。アナログフロントエンド１０２は、生成したデジタル画像信号を画像処理部１０５へ出力する。
【００８０】
通信部１０３は、駆動部１０６から供給される第２信号に従い、ＩＣタグに対して起動信号を発信する（ステップＳ１０６）。なお、ここで通信部１０３が起動信号を発信するＩＣタグは、ステップＳ１０４で撮影される被写体に対応するＩＣタグである。即ち、ステップＳ１０４において、被写体Ａが撮影される場合、通信部１０３は、ＩＣタグ３００に対して起動信号を発信する。また、被写体Ｂが撮影される場合は、通信部１０３は、ＩＣタグ４００に対して起動信号を発信する。また、被写体Ｃが撮影される場合は、通信部１０３は、ＩＣタグ５００に対して起動信号を発信する。
【００８１】
ＩＣタグのアンテナは、デジタルカメラ１００の通信部１０３から送信される起動信号を受信し（ステップＳ１０７）、受信した起動信号をＩＣチップに出力する。ＩＣチップの電源整流部は、共振作用により起電力を発生し（ステップＳ１０８）、ＩＣチップの各部に電力を供給する。
ＩＣチップの送信部は、メモリに記憶されている画像処理情報を読み出し（ステップＳ１０９）、読み出した画像処理情報を送信信号に変換する。ＩＣタグは、画像処理情報である送信信号をデジタルカメラ１００へ送信し、デジタルカメラ１００の通信部１０３は、画像処理情報である送信信号を受信する（ステップＳ１１０）。通信部１０３は、受信した画像処理情報を画像処理部１０５へ出力する。
【００８２】
画像処理部１０５は、アナログフロントエンド１０２から受け取ったデジタル画像信号に、通信部１０３から受け取った画像処理情報に基づき画像処理を施して画像データを生成し、更に、制御部１０７は、画像処理部１０５から受け取った画像データに、モード記憶部１０４から読み出したモード情報に基づき画像処理する（ステップＳ１１１）。制御部１０７は、画像データをメモリカード入出力部１１０へ出力する（ステップＳ１１２）。
【００８３】
メモリカード入出力部１１０は、受け取った画像データをメモリカード６００に出力し、メモリカード６００は、画像データを受け取る（ステップＳ１１３）。メモリカード６００は、画像データを記憶する（ステップＳ１１４）。
ゲート７００は、「画素数選択モード」を示すモード情報を送信し、デジタルカメラ１００の通信部１０３は、ゲート７００から送信されるモード情報「画素数選択モード」を受信する（ステップＳ１１５）。
【００８４】
デジタルカメラ１００の通信部１０３は、受信したモード情報「画素数選択モード」をモード記憶部１０４へ出力する。モード記憶部１０４は、それまで記憶していた「画素数固定モード／１００メガピクセル」を、「画素数選択モード」に替えて記憶することにより、画素数固定モードを解除する（ステップＳ１１６）。
２．画像処理の動作
図８は、デジタルカメラ１００における画像処理の動作を示すフローチャートである。なお、ここで示す動作は、図７のフローチャートにおけるステップＳ１１１の詳細である。
【００８５】
画像処理部１０５は、通信部１０３から受け取った画像処理情報を判断する（ステップＳ２０１）。
画像処理情報が被写体の関する説明である場合（ステップＳ２０２で「被写体説明」）、画像処理部１０５は、デジタル画像信号に被写体に関する説明である文字データを付加して画像データを生成する（ステップＳ２０３）。ここで、生成された画像データは制御部１０７へ出力される。次にステップＳ２０６へ進む。
【００８６】
画像処理情報が被写体に関する著作権情報である場合（ステップＳ２０２で「著作権情報」）、画像処理部１０５は、デジタル画像信号に、著作権情報を付加して画像データを生成する（ステップＳ２０４）。ここで、生成された画像データは制御部１０７へ出力される。次にステップＳ２０６へ進む。
画像処理情報が被写体にモザイク処理を施すためのプログラムである場合（ステップＳ２０２で「モザイク処理」）、画像処理部１０５は、前記プログラムに従いデジタル画像信号にモザイク処理を施して画像データを生成する（ステップＳ２０５）。ここで生成された画像データは制御部１０７へ出力される。
【００８７】
次に、制御部１０７は、モード記憶部１０４に記憶されているモード情報を読み出す（ステップＳ２０６）。制御部１０７は、モード情報により示される指定の画素数で、画像処理部１０５から受け取った画像を処理する（ステップＳ２０７）。その後、ステップＳ１１２へ戻り処理を続ける。
＜変形例＞
ここでは、デジタルカメラシステム１０の変形例について、いくつかの具体的な例を用いて説明する。
【００８８】
１．デジタルカメラシステム２０
図９は、デジタルカメラシステム２０の構成を示すシステム構成図である。同図に示す様に、デジタルカメラシステム２０は、デジタルカメラ１００ａ、ゲート２００ａ、ＩＣタグ３００、ＩＣタグ４００、ＩＣタグ５００、（図９には図示していない）メモリカード６００、及びゲート７００ａから構成される。
【００８９】
デジタルカメラシステム２０は、デジタルカメラシステム１０のデジタルカメラ１００に替えてデジタルカメラ１００ａを、ゲート２００に替えてゲート２００ａを、ゲート７００に替えてゲート７００ａを用いたシステムである。
（１）デジタルカメラ１００ａの構成
図１０は、デジタルカメラ１００ａの構成を機能的に示す機能ブロック図である。同図に示す様に、デジタルカメラ１００ａは、撮像部１０１ａ、アナログフロントエンド１０２ａ、通信部１０３ａ、フラグ記憶部１０４ａ、画像処理部１０５ａ、駆動部１０６ａ、制御部１０７ａ、表示部１０８ａ、操作部１０９ａ、及びメモリカード入出力部１１０ａから構成される。
【００９０】
撮像部１０１ａ、アナログフロントエンド１０２ａ、通信部１０３ａ、駆動部１０６ａ、表示部１０８ａ、操作部１０９ａ、及びメモリカード入出力部１１０ａは、デジタルカメラ１００の構成要素である撮像部１０１、アナログフロントエンド１０２、通信部１０３、駆動部１０６、表示部１０８、操作部１０９、及びメモリカード入出力部１１０と同様の機能を有する。
【００９１】
以下では、デジタルカメラ１００と異なる機能を備えるフラグ記憶部１０４ａ、画像処理部１０５ａ、及び制御部１０７ａについて説明する。
（ａ）フラグ記憶部１０４ａは、フラグ情報を記憶する領域を備える。フラグ記憶部１０４ａは、初期状態では、フラグ情報を記憶していない（フラグＯＦＦ）。ここで、初期状態とはデジタルカメラ１００ａがゲート２００ａを通過する以前の状態である。
【００９２】
フラグ記憶部１０４ａは、デジタルカメラ１００ａがゲート２００ａを通過する際に、ゲート２００ａから通信部１０３ａを介して、ＯＮを示すフラグ制御情報を受信する。フラグ記憶部１０４ａは、ＯＮを示すフラグ制御情報を受信すると、内部にフラグ情報を記憶する。
また、フラグ記憶部１０４ａは、デジタルカメラ１００ａがゲート７００ａを通過する際にゲート７００ａから通信部１０３ａを介して、ＯＦＦを示すフラグ制御情報を受信する。フラグ記憶部１０４ａは、ＯＦＦを示すフラグ制御情報を受信すると、内部に記憶しているフラグ情報を消去する。
【００９３】
（ｂ）画像処理部１０５ａは、画像処理部１０５と同様に、マイクロプロセッサなどから構成され、アナログフロントエンド１０２ａから受け取るデジタル画像信号に画像処理を施す機能を有する。しかし、画像処理部１０５と異なり、全てのデジタル画像信号に画像処理を施すのではなく、デジタル画像信号を受け取った時点でフラグ記憶部１０４ａのフラグ情報がＯＮの場合にのみ、画像処理を施して制御部１０７ａへ出力し、フラグ情報がＯＦＦの場合には、デジタル画像信号に画像処理を施さず、デジタル画像信号をそのまま制御部１０７ａへ出力する。
【００９４】
以下具体的に説明する。画像処理部１０５ａは、アナログフロントエンド１０２ａから被写体Ｃに対応するデジタル画像信号を受け取り、通信部１０３ａから、モザイク処理を示す画像処理情報を受け取る。また、画像処理部１０５ａは、制御部１０７ａからフラグ記憶部１０４ａの状態を示す信号を受け取る。
制御部１０７ａから受け取る信号がフラグＯＮを示す場合に、画像処理部１０５ａは、デジタル画像信号にモザイク処理を施して、画像データ１４０を生成する。画像処理部１０５ａは、生成した画像データ１４０を制御部１０７ａへ出力する。
【００９５】
制御部１０７ａから受け取る信号がフラグＯＦＦを示す場合に、画像処理部１０５ａは、アナログフロントエンド１０２ａから受け取ったデジタル画像信号を制御部１０７ａへ出力する。
なお、画像処理部１０５ａが、被写体Ａに対応するデジタル画像信号１２１及び画像処理情報１２２を受け取った場合、並びに被写体Ｂに対応するデジタル画像信号１３１及び画像処理情報１３２を受け取った場合も同様に、制御部１０７ａから受け取るフラグ記憶部１０４ａの状態を示す信号に応じて、画像処理を施すか否かを決定する。
【００９６】
（ｃ）制御部１０７ａは、制御部１０７と同様にマイクロプロセッサ、ＲＯＭ、ＲＡＭなどから構成される。
制御部１０７ａは、シャッターボタンが押下されたことを示す操作信号を操作部１０９ａから受け取ると、シャッターボタンの押下を示す制御信号を生成し、生成した制御信号を駆動部１０６ａへ出力する。更に、制御部１０７ａは、フラグ記憶部１０４ａの所定の領域を見て、フラグ情報が記憶されているか否か判断する。
【００９７】
フラグ記憶部１０４ａにフラグ情報が記憶されている場合に、制御部１０７ａは、画像処理部１０５ａに対し、フラグＯＮを示す信号を出力する。フラグ記憶部１０４ａにフラグ情報が記憶されていない場合に、制御部１０７ａは、画像処理部１０５ａに対し、フラグＯＦＦを示す信号を出力する。
制御部１０７ａは、画像処理部１０５ａからデジタル画像信号又はデジタル画像信号に画像処理を施した画像データを受け取り、受け取ったデジタル画像信号又は画像データを、メモリカード入出力部１１０ａを介して、メモリカード６００に書き込む。
【００９８】
（２）ゲート２００ａの構成
ゲート２００ａは、図９に示す様に展示場の入口に設けられたゲートである。ゲート２００ａは、図５に示したゲート２００と同様の構成を有しているが、デジタルカメラ１００ａへ送信する情報がゲート２００とは異なる。ゲート２００ａは、デジタルカメラ１００ａのフラグ情報をＯＮに設定する（フラグ情報を書き込む）ための命令を含むフラグ制御情報を記憶している。また、ゲート２００ａはアンテナを備え、記憶しているフラグ制御情報を、電波に乗せて送信する。ゲート２００ａのアンテナから送信される電波は、デジタルカメラ１００ａの通信部１０３ａに備えられるアンテナによって受信される。
【００９９】
フラグ情報をＯＮに設定することは、撮影時にＩＣタグから受信する画像処理情報に応じて、撮影したデジタル画像信号に画像処理を施すことを示す。即ち、デジタルカメラ１００ａを所持したユーザがゲート２００ａを通過して展示場に入場すると、デジタルカメラ１００ａのフラグ情報はＯＮに設定され、その後は、撮影したデジタル画像信号に画像処理が施される。
【０１００】
なお、ゲート２００ａは、ゲート２００と同様に、図５に示す各機能を有するコンピュータシステムであれば、形状は限定されない。
（３）ゲート７００ａの構成
ゲート７００ａは、ゲート７００と同様に、展示場の出口に設けられたゲートである（図９）。ゲート７００ａは、ゲート７００と同様の構成を有するが、デジタルカメラ１００ａへ送信する情報がゲート７００とは異なる。
【０１０１】
ゲート７００ａは、デジタルカメラ１００ａのフラグ情報をＯＦＦに設定する（フラグ情報を消去する）ための命令を含むフラグ制御情報を記憶している。ゲート７００ａはアンテナを備え、記憶しているフラグ制御情報を、電波に乗せて送信する。ゲート７００ａのアンテナから送信される電波は、デジタルカメラ１００ａの通信部１０３ａに備えられるアンテナによって受信される。
【０１０２】
フラグ情報をＯＦＦに設定することは、撮影時にＩＣタグから画像処理情報を受信した場合であっても、画像処理を施すことなく、撮影して生成されたデジタル画像信号を出力することを示す。即ち、デジタルカメラ１００ａを所持したユーザがゲート７００ａを通過して展示場を退場すると、デジタルカメラ１００ａのフラグ情報はＯＦＦに設定され、もはや撮影したデジタル画像信号に画像処理が施されることはない。
【０１０３】
なお、ゲート７００ａは、ゲート７００と同様に、形状は限定されない。
（４）デジタルカメラシステム２０全体の動作
図１１及び図１２は、デジタルカメラシステム２０全体の動作を示すフローチャートである。
ゲート２００ａは、「フラグＯＮ」を示すフラグ制御情報を送信し、デジタルカメラ１００ａの通信部１０３ａは、ゲート２００ａから送信されるフラグ制御情報を受信する（ステップＳ３０１）。
【０１０４】
デジタルカメラ１００ａの通信部１０３ａは、受信したフラグ制御情報をフラグ記憶部１０４ａへ出力する。フラグ記憶部１０４ａは、「フラグＯＮ」を示すフラグ制御情報を受け取ると、フラグ制御情報に含まれる命令を実行することにより、内部にフラグ情報を書き込む（ステップＳ３０２）。
続いて、操作部１０９ａのシャッターボタンがユーザによる押下を受け付けると（ステップＳ３０３）、操作部１０９ａはシャッターボタンの押下に対応する操作信号を、生成して制御部１０７ａへ出力する。制御部１０７ａは、操作信号を制御信号に変換し、制御信号を駆動部１０６ａへ出力する。駆動部１０６ａは、シャッターボタンの押下に対応する制御信号を受け取ると、第１信号と第２信号とを生成して、第１信号を撮像部１０１ａへ供給し、第２信号を通信部１０３ａへ供給する。
【０１０５】
撮像部１０１ａは、駆動部１０６ａから供給される第１信号に従い、被写体を撮影し（ステップＳ３０４）、画像信号を生成して、生成した画像信号をアナログフロントエンド１０２ａへ出力する。アナログフロントエンド１０２ａは、撮像部１０１ａから画像信号を受け取り、受け取った画像信号にＡ／Ｄ変換を施し（ステップＳ３０５）、デジタル画像信号を生成する。アナログフロントエンド１０２ａは、生成したデジタル画像信号を画像処理部１０５ａへ出力する。
【０１０６】
通信部１０３ａは、駆動部１０６ａから供給される第２信号に従い、ＩＣタグに対して起動信号を発信する（ステップＳ３０６）。なお、ここで通信部１０３ａが起動信号を発信するＩＣタグは、ステップＳ３０４で撮影される被写体に対応するＩＣタグである。即ち、ステップＳ３０４おいて、被写体Ａが撮影される場合、通信部１０３ａは、ＩＣタグ３００に対して起動信号を発信する。また、被写体Ｂが撮影される場合は、通信部１０３ａは、ＩＣタグ４００に対して起動信号を発信する。また、被写体Ｃが撮影される場合は、通信部１０３ａは、ＩＣタグ５００に対して起動信号を発信する。
【０１０７】
ＩＣタグのアンテナは、デジタルカメラ１００ａの通信部１０３ａから送信される起動信号を受信し（ステップＳ３０７）、受信した起動信号をＩＣチップに出力する。ＩＣチップの電源整流部は、共振作用により起電力を発生し（ステップＳ３０８）、ＩＣチップの各部に電力を供給する。
ＩＣチップの送信部は、メモリに記憶されている画像処理情報を読み出し（ステップＳ３０９）、読み出した画像処理情報を送信信号に変換する。ＩＣタグは、画像処理情報である送信信号をデジタルカメラ１００ａへ送信し、デジタルカメラ１００ａの通信部１０３ａは、画像処理情報である送信信号を受信する（ステップＳ３１０）。通信部１０３ａは、受信した画像処理情報を画像処理部１０５ａへ出力する。
【０１０８】
制御部１０７ａは、フラグ記憶部１０４ａの所定の領域を読み、フラグ情報が書き込まれているか否か（フラグがＯＮかＯＦＦか）判断し（ステップＳ３１１）、判断結果を示す信号を、画像処理部１０５ａへ通知する。
画像処理部１０５ａが制御部１０７ａから受け取った信号が、「フラグＯＦＦ」を示す場合（ステップＳ３１２で「ＯＦＦ」）、ステップＳ３１４へ進む。「フラグＯＮ」を示す場合（ステップＳ３１２で「ＯＮ」）、画像処理部１０５ａは、アナログフロントエンド１０２ａから受け取ったデジタル画像信号に、通信部１０３ａから受け取った画像処理情報に基づき画像処理を施す（ステップＳ３１３）。
【０１０９】
制御部１０７ａは、画像処理部１０５ａから画像データを受け取り、受け取った画像データをメモリカード入出力部１１０ａへ出力する（ステップＳ３１４）。
メモリカード入出力部１１０ａは、制御部１０７ａから受け取った画像データをメモリカード６００に出力し、メモリカード６００は、画像データを受け取り（ステップＳ３１５）、記憶する（ステップＳ３１６）。
【０１１０】
ゲート７００ａは、「フラグＯＦＦ」を示すフラグ制御情報を送信し、デジタルカメラ１００ａの通信部１０３ａは、ゲート７００ａから送信されるフラグ制御情報を受信する（ステップＳ３１７）。
デジタルカメラ１００ａの通信部１０３ａは、受信したフラグ制御情報をフラグ記憶部１０４ａへ出力する。フラグ記憶部１０４ａは、「フラグＯＦＦ」を示すフラグ制御情報を受け取ると、フラグ制御情報に含まれる命令を実行することにより、内部に記憶されているフラグ情報を消去する（ステップＳ３１８）。
【０１１１】
（５）画像処理の動作
図１３は、デジタルカメラ１００ａにおける画像処理の動作を示すフローチャートである。なお、ここで示す動作は、図１２のフローチャートにおけるステップＳ３１３の詳細である。
画像処理部１０５ａは、通信部１０３ａから受け取った画像処理情報を判断する（ステップＳ４０１）。
【０１１２】
画像処理情報が被写体の関する説明である場合（ステップＳ４０２で「被写体説明」）、画像処理部１０５ａは、デジタル画像信号に被写体に関する説明である文字データを付加して画像データを生成する（ステップＳ４０３）。画像処理部１０５ａは、生成した画像データを制御部１０７ａへ出力する。
画像処理情報が被写体に関する著作権情報である場合（ステップＳ４０２で「著作権情報」）、画像処理部１０５ａは、デジタル画像信号に、著作権情報を付加して画像データを生成する（ステップＳ４０４）。画像処理部１０５ａは、生成した画像データを制御部１０７ａへ出力する。
【０１１３】
画像処理情報が被写体にモザイク処理を施すためのプログラムである場合（ステップＳ４０２で「モザイク処理」）、画像処理部１０５ａは、前記プログラムに従いデジタル画像信号にモザイク処理を施して画像データを生成する（ステップＳ４０５）。画像処理部１０５ａは、生成した画像データを制御部１０７ａへ出力する。その後、ステップＳ３１４へ戻り処理を続ける。
【０１１４】
２．デジタルカメラ１００ｂを含むシステム
ここでは、更なる変形例として、デジタルカメラ１００ａに替えて、図１４に示すデジタルカメラ１００ｂ、ゲート２００ａに替えてゲート２００ｂ（図示していない）、ゲート７００ａに替えてゲート７００ｂ（図示していない）を含むデジタルカメラシステムについて説明する。
【０１１５】
（１）デジタルカメラ１００ｂの構成
デジタルカメラ１００ｂは、図１４に示す様に、撮像部１０１ｂ、アナログフロントエンド１０２ｂ、通信部１０３ｂ、モード記憶部１０４ｂ、画像処理部１０５ｂ、駆動部１０６ｂ、制御部１０７ｂ、表示部１０８ｂ、操作部１０９ｂ、及びメモリカード入出力部１１０ｂから構成される。
【０１１６】
撮像部１０１ｂ、アナログフロントエンド１０２ｂ、通信部１０３ｂ、駆動部１０６ｂ、表示部１０８ｂ、操作部１０９ｂ、及びメモリカード入出力部１１０ｂは、デジタルカメラ１００の構成要素と同様の機能を有し、画像処理部１０５ｂは、デジタルカメラ１００ａの画像処理部１０５ａと同様の機能を有する。
以下では、デジタルカメラ１００及びデジタルカメラ１００ａと異なる機能を備えるモード記憶部１０４ｂ及び制御部１０７ｂについて説明する。
【０１１７】
（ａ）モード記憶部１０４ｂは、デジタルカメラ１００のモード記憶部１０４の機能、及びデジタルカメラ１００ａのフラグ記憶部１０４ａの機能を備える。即ち、内部にモード情報を記憶しており、且つ、フラグ情報を記憶するための領域を備える。
モード情報は、画素数に関する情報であり、「画素数選択モード」又は「画素数固定モード／１００メガピクセル」の何れかである。
【０１１８】
モード記憶部１０４ｂは、初期状態では、モード情報として「画素数選択モード」を記憶しており、且つ、フラグ情報は記憶していない（フラグＯＦＦ）。ここで、初期状態とは、デジタルカメラ１００ｂがゲート２００ｂを通過する以前の状態である。
デジタルカメラ１００ｂを所持したユーザが、ゲート２００ｂを通過して展示場に入場する際、モード記憶部１０４ｂは、通信部１０３ｂを介してゲート２００ｂから「画素数固定モード／１００メガピクセル」を示すモード情報を受信する。モード記憶部１０４ｂは、それまで記憶していた「画素数選択モード」に替えて、受信した「画素数固定モード／１００メガピクセル」を記憶する。
【０１１９】
更に、モード記憶部１０４ｂは、ゲート２００ｂを通過する際にゲート２００ｂから通信部１０３ｂを介して、ＯＮを示すフラグ制御情報を受信する。モード記憶部１０４ｂは、ＯＮを示すフラグ制御情報を受信すると、内部の所定領域にフラグ情報を書き込む。
デジタルカメラ１００ｂを所持したユーザが、ゲート７００ｂを通過して展示場から退場する際、モード記憶部１０４ｂは、通信部１０３ｂを介してゲート７００ｂから「画素数選択モード」を示すモード情報を受信する。モード記憶部１０４ｂは、それまで記憶していた「画素数固定モード／１００メガピクセル」に替えて、受信した「画素数選択モード」を記憶する。
【０１２０】
更に、モード記憶部１０４ｂは、ゲート７００ｂを通過する際にゲート７００ｂから通信部１０３ｂを介して、ＯＦＦを示すフラグ制御情報を受信する。モード記憶部１０４ｂは、ＯＦＦを示すフラグ制御情報を受信すると、内部の所定領域に記憶しているフラグ情報を消去する。
（ｂ）制御部１０７ｂは、マイクロプロセッサ、ＲＯＭ、ＲＡＭなどから構成される。
【０１２１】
制御部１０７ｂは、シャッターボタンが押下されたことを示す操作信号を操作部１０９ｂから受け取ると、シャッターボタンの押下を示す制御信号を生成し、生成した制御信号を駆動部１０６ｂへ出力する。更に、制御部１０７ｂは、モード記憶部１０４ｂの所定の領域を見て、フラグ情報が記憶されているか否か判断する。
モード記憶部１０４ｂにフラグ情報が記憶されている場合に、制御部１０７ｂは、画像処理部１０５ｂに対し、フラグＯＮを示す信号を出力する。モード記憶部１０４ｂにフラグ情報が記憶されていない場合に、制御部１０７ｂは、画像処理部１０５ｂに対し、フラグＯＦＦを示す信号を出力する。
【０１２２】
制御部１０７ｂは、画像処理部１０５ｂからデジタル画像信号又はデジタル画像信号に画像処理を施した画像データを受け取ると、モード記憶部１０４ｂに記憶されているモード情報を読み出す。ここで読み出されるモード情報は、「画素数固定モード／１００メガピクセル」であるとする。
制御部１０７ｂは、画像処理部１０５ｂから受け取ったデジタル画像信号又は画像データを、画素数が１００メガピクセルとなるように処理する。制御部１０７ｂは、処理されたデジタル画像信号又は画像データをメモリカード入出力部１１０ｂを介してメモリカード６００へ書き込む。
【０１２３】
モード記憶部１０４ｂに記憶されているモード情報が「画素数選択モード」の場合は、画像処理部１０５ｂから受け取ったデジタル画像信号又は画像データを、指定の画素数となるように処理する。なお、指定の画素数は制御部１０７ｂが記憶しているものとする。
（２）ゲート２００ｂの構成
ゲート２００ｂは、ゲート２００及びゲート２００ａと同様に展示場の入口に設けられたゲートであるとする。ゲート２００ｂは、図５に示したゲート２００と同様の構成を有する。
【０１２４】
ゲート２００ｂは、デジタルカメラ１００ｂへ送信する情報が、ゲート２００及びゲート２００ａとは異なる。具体的には、ゲート２００ｂがデジタルカメラ１００ｂに送信する情報は、ゲート２００がデジタルカメラ１００に送信する情報、及びゲート２００ａがデジタルカメラ１００ａに送信する情報の両者を含む。
以下、より具体的に説明する。ゲート２００ｂは、「画素数固定モード／１００メガピクセル」を示すモード情報、及び、デジタルカメラ１００ｂのフラグ情報をＯＮに設定するための命令を含むフラグ制御情報を記憶している。ゲート２００ｂは、ゲート２００及びゲート２００ａと同様にアンテナを備え、記憶しているモード情報及びフラグ制御情報を、電波に乗せて送信する。ゲート２００ｂのアンテナから送信される電波は、デジタルカメラ１００ｂの通信部１０３ｂに備えられるアンテナによって受信される。
【０１２５】
なお、ゲート２００ｂは、ゲート２００及びゲート２００ａと同様に、図５に示す各機能を有するコンピュータシステムであれば、形状は限定されない。
（３）ゲート７００ｂの構成
ゲート７００ｂは、ゲート７００及びゲート７００ａと同様に、展示場の出口に設けられたゲートであるとする。ゲート７００ｂは、ゲート７００と同様の構成を有する。
【０１２６】
ゲート７００ｂは、デジタルカメラ１００ｂへ送信する情報がゲート７００及びゲート７００ａとは異なる。具体的には、ゲート７００ｂがデジタルカメラ１００ｂに送信する情報は、ゲート７００がデジタルカメラ１００に送信する情報、及びゲート７００ａがデジタルカメラ１００ａに送信する情報の両者を含む。
以下、より具体的に説明する。ゲート７００ｂは、「画素数選択モード」を示すモード情報、及び、デジタルカメラ１００ｂのフラグ情報をＯＦＦに設定するための命令を含むフラグ制御情報を記憶している。ゲート７００ｂは、ゲート７００及びゲート７００ａと同様にアンテナを備え、記憶しているモード情報及びフラグ制御情報を、電波に乗せて送信する。ゲート７００ｂのアンテナから送信される電波は、デジタルカメラ１００ｂの通信部１０３ｂに備えられるアンテナによって受信される。
【０１２７】
なお、ゲート７００ｂは、ゲート７００及びゲート７００ａと同様に、図５に示すような各機能を有するコンピュータシステムであれば、形状は限定されない。
（４）デジタルカメラ１００ｂを含むシステム全体の動作
図１５及び図１６は、デジタルカメラ１００ｂを含むシステム全体の動作を示すフローチャートである。
【０１２８】
ゲート２００ｂは、「画素数固定モード／１００メガピクセル」を示すモード情報、及び「フラグＯＮ」を示すフラグ制御情報を送信し、デジタルカメラ１００ｂの通信部１０３ｂは、ゲート２００ｂから送信されるモード情報及びフラグ制御情報を受信する（ステップＳ５０１）。
デジタルカメラ１００ｂの通信部１０３ｂは、受信したモード情報及びフラグ制御情報を、モード記憶部１０４ｂへ出力する。モード記憶部１０４ｂは、「画素数固定モード／１００メガピクセル」を示すモード情報、及び「フラグＯＮ」を示すフラグ制御情報を受け取ると、それまで記憶していたモード情報に替えて、「画素数固定モード／１００メガピクセル」を設定し（ステップＳ５０２）、フラグ制御情報に含まれる命令を実行することにより、所定の領域にフラグ情報を書き込む（即ち、フラグＯＮを設定する）（ステップＳ５０３）。
【０１２９】
続いて、操作部１０９ｂのシャッターボタンがユーザによる押下を受け付けると（ステップＳ５０４）、操作部１０９ｂはシャッターボタンの押下に対応する操作信号を、生成して制御部１０７ｂへ出力する。制御部１０７ｂは、操作信号を制御信号に変換し、制御信号を駆動部１０６ｂへ出力する。駆動部１０６ｂは、シャッターボタンの押下に対応する制御信号を受け取ると、第１信号と第２信号とを生成して、第１信号を撮像部１０１ｂへ供給し、第２信号を通信部１０３ｂへ供給する。
【０１３０】
撮像部１０１ｂは、駆動部１０６ｂから供給される第１信号に従い、被写体を撮影し（ステップＳ５０５）、画像信号を生成して、生成した画像信号をアナログフロントエンド１０２ｂへ出力する。アナログフロントエンド１０２ｂは、撮像部１０１ｂから画像信号を受け取り、受け取った画像信号にＡ／Ｄ変換を施し（ステップＳ５０６）、デジタル画像信号を生成する。アナログフロントエンド１０２ｂは、生成したデジタル画像信号を画像処理部１０５ｂへ出力する。
【０１３１】
通信部１０３ｂは、駆動部１０６ｂから供給される第２信号に従い、ＩＣタグに対して起動信号を発信する（ステップＳ５０７）。なお、ここで通信部１０３ｂが起動信号を発信するＩＣタグは、ステップＳ５０５で撮影される被写体に対応するＩＣタグである。即ち、ステップＳ５０５おいて、被写体Ａが撮影される場合、通信部１０３ｂは、ＩＣタグ３００に対して起動信号を発信する。また、被写体Ｂが撮影される場合は、通信部１０３ｂは、ＩＣタグ４００に対して起動信号を発信する。また、被写体Ｃが撮影される場合は、通信部１０３ｂは、ＩＣタグ５００に対して起動信号を発信する。
【０１３２】
ＩＣタグのアンテナは、デジタルカメラ１００ｂの通信部１０３ｂから送信される起動信号を受信し（ステップＳ５０８）、受信した起動信号をＩＣチップに出力する。ＩＣチップの電源整流部は、共振作用により起電力を発生し（ステップＳ５０９）、ＩＣチップの各部に電力を供給する。
ＩＣチップの送信部は、メモリに記憶されている画像処理情報を読み出し（ステップＳ５１０）、読み出した画像処理情報を送信信号に変換する。ＩＣタグは、画像処理情報である送信信号をデジタルカメラ１００ｂへ送信し、デジタルカメラ１００ｂの通信部１０３ｂは、画像処理情報である送信信号を受信する（ステップＳ５１１）。通信部１０３ｂは、受信した画像処理情報を画像処理部１０５ｂへ出力する。
【０１３３】
制御部１０７ｂは、モード記憶部１０４ｂの所定の領域を読み、フラグ情報が書き込まれているか否か（フラグがＯＮかＯＦＦか）判断し（ステップＳ５１２）、判断結果を示す信号を、画像処理部１０５ｂへ通知する。
画像処理部１０５ｂが制御部１０７ｂから受け取った信号が、「フラグＯＦＦ」を示す場合（ステップＳ５１３で「ＯＦＦ」）、図１７に示すステップＳ６０６へ進む。「フラグＯＮ」を示す場合（ステップＳ５１３で「ＯＮ」）、画像処理部１０５ｂは、アナログフロントエンド１０２ｂから受け取ったデジタル画像信号に、通信部１０３ｂから受け取った画像処理情報に基づき画像処理を施す（ステップＳ５１４）。
【０１３４】
制御部１０７ｂは、画像データをメモリカード入出力部１１０ｂへ出力する（ステップＳ５１５）。
メモリカード入出力部１１０ｂは、制御部１０７ｂから受け取った画像データをメモリカード６００に出力し、メモリカード６００は、画像データを受け取り（ステップＳ５１６）、記憶する（ステップＳ５１７）。
【０１３５】
ゲート７００ｂは、「画素数選択モード」を示すモード情報、及び「フラグＯＦＦ」を示すフラグ制御情報を送信し、デジタルカメラ１００ｂの通信部１０３ｂは、ゲート７００ｂから送信されるモード情報及びフラグ制御情報を受信する（ステップＳ５１８）。
デジタルカメラ１００ｂの通信部１０３ｂは、モード情報及びフラグ制御情報をモード記憶部１０４ｂへ出力する。モード記憶部１０４ｂは、「フラグＯＦＦ」を示すフラグ制御情報を受け取ると、フラグ制御情報に含まれる命令を実行することにより、内部に記憶されているフラグ情報を消去する（フラグＯＦＦにする）（ステップＳ５１９）。また、モード記憶部１０４ｂは、先に記憶していたモード情報に替えて、「画素数選択モード」を記憶する（ステップＳ５２０）。
【０１３６】
（５）画像処理の動作
図１７は、デジタルカメラ１００ｂにおける画像処理の動作を示すフローチャートである。なお、ここで示す動作は、図１６のフローチャートにおけるステップＳ５１４の詳細である。
画像処理部１０５ｂは、通信部１０３ｂから受け取った画像処理情報を判断する（ステップＳ６０１）。
【０１３７】
画像処理情報が被写体の関する説明である場合（ステップＳ６０２で「被写体説明」）、画像処理部１０５ｂは、デジタル画像信号に被写体に関する説明である文字データを付加して画像データを生成する（ステップＳ６０３）。画像処理部１０５ｂは、生成した画像データを制御部１０７ｂへ出力する。
画像処理情報が被写体に関する著作権情報である場合（ステップＳ６０２で「著作権情報」）、画像処理部１０５ｂは、デジタル画像信号に、著作権情報を付加して画像データを生成する（ステップＳ６０４）。画像処理部１０５ｂは、生成した画像データを制御部１０７ｂへ出力する。
【０１３８】
画像処理情報が被写体にモザイク処理を施すためのプログラムである場合（ステップＳ６０２で「モザイク処理」）、画像処理部１０５ｂは、前記プログラムに従いデジタル画像信号にモザイク処理を施して画像データを生成する（ステップＳ６０５）。画像処理部１０５ｂは、生成した画像データを制御部１０７ｂへ出力する。
次に、制御部１０７ｂは、モード記憶部１０４ｂに記憶されているモード情報を読み出す（ステップＳ６０６）。制御部１０７ｂは、モード情報により示される指定の画素数で、画像処理部１０５ｂから受け取った画像データを処理する（ステップＳ６０７）。その後、ステップＳ５１５へ戻り処理を続ける。
【０１３９】
３．その他の変形例
（ａ）なお、上記の変形例は、展示場の入口に設けられたゲート２００ａ及び２００ｂから送信される情報をデジタルカメラ受信する場合に、ＩＣタグから受信する画像処理情報により示される画像処理を有効にする構成を有しているが、これとは逆に、ゲート２００ａ及び２００ｂから送信される情報をデジタルカメラが受信する場合に、画像処理を無効にするように構成してもよい。
【０１４０】
同様に、上記の変形例は、展示場の出口に設けられたゲート７００ａ及び７００ｂから送信される情報をデジタルカメラが受信する場合に、ＩＣタグから受信する画像処理情報により示される画像処理を無効にする構成を有しているが、これとは逆に、ゲート７００ａ及びゲート７００ｂから送信される情報をデジタルカメラが受信する場合に、画像処理を有効にするように構成してもよい。
【０１４１】
（ｂ）また、上記の変形例において、デジタルカメラ１００ａ及び１００ｂは、ゲート２００ａ及びゲート２００ｂからフラグ制御情報を受信した場合には、その後被写体を撮影して、画像データが生成された場合であっても、撮影された画像データをメモリカード６００へ出力せずに破棄し、メモリカード６００に画像データを書き出さない様に構成してもよい。
【０１４２】
（ｃ）上記変形例において、デジタルカメラ１００ａ及び１００ｂは、ゲートから情報を受信したか否かを、フラグ情報のＯＮ又はＯＦＦにより管理するが、これは具体的には、デジタルカメラ１００ａ及び１００ｂは、ゲートから「０」又は「１」のフラグ制御情報を受信してもよい。「０」はフラグ情報ＯＦＦを示し、「１」はフラグ情報ＯＮを示すとすると、デジタルカメラ１００ａ及び１００ｂは、入口に設けられたゲートから「１」を受信し、出口に設けられたゲートから「０」を受信することにより、デジタルカメラシステム２０及びデジタルカメラ１００ｂを含むシステムを実現できる。
【０１４３】
なお、デジタルカメラ１００ａ及び１００ｂは、ゲートの通過をフラグにより管理する構成は必須ではなく、他の構成を用いてゲートの通過を管理してもよい。
（ｄ）また、デジタルカメラシステム２０、デジタルカメラ１００ｂを含むシステム、及び（ｂ）で説明した画像を破棄するシステム等を組み合わせて一つのシステムで実現する構成も本発明に含まれる。
【０１４４】
この場合には、例えば、デジタルカメラが入口に設けられたゲートから「０」、「１」又は「２」の何れかであるフラグ制御情報を受信する。デジタルカメラは、「０」を受信した場合に、被写体を撮影して生成した画像データを破棄し、「１」を受信した場合に、被写体を撮影して生成した画像データをそのままメモリカードに出力し、「２」を受信した場合に、被写体を撮影して生成した画像データに、ＩＣタグから受信する画像処理情報に従い、画像処理を施した後、メモリカードに出力するように構成してもよい。
【０１４５】
＜まとめ＞
以上説明したように、本発明は、ユーザがデジタルカメラで被写体を撮影すると、ユーザの意図とは無関係に撮影した画像に画像処理を施すことができるデジタルカメラシステムである。
なお、上記実施の形態及び変形例は、本発明を説明するための具体例であり、本発明は上記実施の形態及び変形例に限定されないのは勿論であり、以下の様な場合も本発明に含まれる。
【０１４６】
（１）本発明は、ゲートを含まず、デジタルカメラとＩＣタグとから構成されるシステムであってもよい。又、本発明は、ＩＣタグを含まず、デジタルカメラとゲートとから構成されるシステムであってもよい。
（２）上記実施の形態及び変形例では、ＩＣタグ３００、ＩＣタグ４００、ＩＣタグ５００がそれぞれ記憶している画像処理情報は、被写体の説明を記述した文字データ、著作権情報、モザイク処理を示すプログラムであるが、本発明において、ＩＣタグが記憶している画像処理情報はこれらに限定されないのは勿論である。
【０１４７】
例えば、画像処理情報は、撮影場所の情報、名所案内、建造物の説明、商品情報、商品広告、関連ＵＲＬなどであってもよい。デジタルカメラの画像処理部は、これらの画像処理情報を副情報として撮影した画像に埋め込むように構成してもよい。
また、例えば、画像処理情報は、コピー許可、コピー不許可、コピー可能回数などを示す著作権情報であってもよい。デジタルカメラの画像処理部は、これらの著作権情報を撮影した画像に埋め込むように構成してもよい。
【０１４８】
また、例えば、画像処理情報は、メモリへの記録の許可、メモリへの記録の不許可などを示す著作権情報であってもよい。デジタルカメラ１００の画像処理部１０５は、これらの著作権情報を撮影した画像に埋め込み、メモリカード６００のメモリ制御部がメモリ記録時に画像に埋め込まれた著作権情報に基づき、画像データをメモリに書き込んだり、又は、画像データを破棄し、画像データのメモリへの書き込みを抑制したりするように構成してもよい。
【０１４９】
また、画像処理情報は、モザイク処理に限定されず、塗りつぶし、色調変換、画質指定、画素数指定など画像加工に係る情報又は画像加工プログラムであってもよい。
（３）更に、画像処理情報は、デジタルカメラで撮影した画像の画像ファイルが、パーソナルコンピュータ等によりソフトウェアを用いて開かれた場合に、所定の処理を行うためのプログラム、又は、所定のアプリケーションソフトを起動させるプログラムであってもよい。
【０１５０】
例えば、本発明における画像処理情報は、画像ファイルが開かれると、アプリケーションソフトウェアが起動してログを作成するプログラム、作成されたログを送信するプログラム、画像ファイルが開かれると、アプリケーションソフトウェアが起動して自動で画像のコピーを作成するプログラム、コピーした画像をメールに添付して送信するプログラム、画像ファイルが開かれると、自動で画像を消去するプログラムなどであってもよい。
【０１５１】
（４）また、上記実施の形態では、ゲート２００及びゲート７００は、それぞれ「画素数固定モード／１００メガピクセル」及び「画素数選択モード」を示すモード情報を記憶しており、記憶しているこれらのモード情報を送信する構成を有しているが、ゲート２００は、「画素数固定モード／１００メガピクセル」を示すモード情報に替えて、以下の様な画像処理情報を記憶しており、記憶している画像処理情報を送信する構成も本発明に含まれる。
【０１５２】
例えば、画像処理情報として、撮影場所の情報、名所案内、建造物の説明、関連ＵＲＬ、コピー許可、コピー不許可、コピー可能回数などを示す著作権情報、また、メモリへの記録の許可、メモリへの記録の不許可などを示す著作権情報であってもよい。また、ゲート２００が記憶している画像処理情報は、モザイク処理、塗りつぶし、色調変換、画質指定、画素数指定など画像加工に係る情報又は画像加工プログラムであってもよい。更に、ゲート２００が記憶している画像処理情報は、デジタルカメラ１００で撮影した画像の画像ファイルが、パーソナルコンピュータ等によりソフトウェアを用いて開かれた場合に、所定の処理を行うためのプログラム、又は、所定のアプリケーションソフトを起動させるプログラムであってもよい。
【０１５３】
デジタルカメラ１００は、上記の様な画像処理情報をゲート２００から受信し、受信した画像処理情報に基づいて、画像処理部１０５が画像処理を行うように構成されてもよい。デジタルカメラ１００は、ゲート２００から受信した画像処理情報をモード記憶部１０４に記憶し、画像処理部１０５が、モード記憶部１０４に記憶されている内容に従い処理を行うように構成されてもよい。更に、ゲート７００は、ゲート２００が送信した画像処理情報に基づく画像処理を解除するためのデータをデジタルカメラ１００に送信する構成も本発明に含まれる。デジタルカメラ１００は、ゲート７００から画像処理を解除するためのデータを受信すると、モード記憶部１０４に記憶している画像処理情報を消去するように構成されてもよい。
【０１５４】
（５）上記実施の形態及び変形例においてデジタルカメラに備えられている画像処理部は、デジタルカメラではなく、メモリカード６００に備えられている構成も本発明に含まれる。この場合、デジタルカメラ１００は、撮影したデジタル画像信号及び受信した画像処理情報をメモリカード６００へ出力し、メモリカード６００内の画像処理部は、受け取ったデジタル画像信号に画像処理を施して画像データを生成し、生成した画像データを内部のメモリに記憶するように構成されてもよい。
【０１５５】
（６）上記実施の形態及び変形例において、デジタルカメラに備えられている画像処理部と通信部とは、デジタルカメラではなく、メモリカード６００に備えられている構成も本発明に含まれる。
（７）本発明におけるデジタルカメラは、無線電波を用いて通信を行う可搬型の電話機としての機能を有する、所謂、カメラ付き携帯電話機であってもよい。
【０１５６】
（８）本発明におけるデジタルカメラシステムは、上記のカメラ付き携帯電話機によるデジタル万引きを防止するシステムであってもよい。
当該システムは警報音を発する端末を備え、携帯電話機のカメラで被写体を撮影すると、カメラ付き携帯電話機に備えられた通信部は、被写体の近傍に設置された前記端末に対して信号を送信し、信号を受信した前記端末が、警報音を発するように構成されるシステムも本発明に含まれる。
【０１５７】
（９）デジタルカメラ１００の通信部１０３が、目的とするＩＣタグ以外の他のＩＣタグと通信を行わないために、通信部１０３は、撮像部１０１のレンズが向いている方向へ指向性を有する電波を送信する特性を有する様に構成されてもよい。
また、撮影時のピント合わせにおいて、撮像部１０１は、デジタルカメラ１００と被写体との距離を測定し、通信部１０３は、撮像部１０１により測定された距離に到達する強度の電波を送信し、それにより目的とするＩＣタグのみが起電力を発生するように構成されてもよい。
【０１５８】
（１０）デジタルカメラ１００がゲート２００を通過したときの処理について、ゲート２００を通過したのか、又は、ゲート２００の付近を通過したのかを判断し、デジタルカメラ１００によるモード情報の設定の誤作動を防止するため、ゲート２００の外側に１個、ゲート２００の内側に１個、計２個の送信装置を備え、各送信装置がデジタルカメラ１００に信号を送信するように構成してもよい。デジタルカメラ１００は、外側、内側の順序で信号を受信した場合にゲート２００を通過して入場したと判断し、モード情報を書き替える様に構成してもよい。
【０１５９】
ゲート７００においても同様に、ゲート７００の内側に１個、ゲート７００の外側に１個、計２個の送信装置を備え、各送信装置が信号を送信し、デジタルカメラ１００は、内側、外側の順に信号を受信した場合にゲート７００を通過して退場したと判断し、モード情報を書き替える様に構成してもよい。
（１１）上記実施の形態及び変形例において、デジタルカメラは、画像処理部が行う画像処理のプログラムをＩＣタグから受信する構成を有しているが、画像処理のプログラムは、デジタルカメラが予め内部に記憶している構成も本発明に含まれる。この場合、デジタルカメラはＩＣタグからプログラムを起動させるための情報を受信するように構成してもよい。
【０１６０】
（１２）ＩＣタグ、ゲートとデジタルカメラとの通信は、電波、マイクロ波に限定されず、赤外線を用いた光通信であってもよい。
（１３）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０１６１】
また、本発明は、前記コンピュータプログラム又は前記デジタル信号をコンピュータ読み取り可能な記録媒体、例えば、フロッピー（登録商標）ディスク、ハードディスク、ＣＤ‐ＲＯＭ、ＭＯ、ＤＶＤ、ＤＶＤ‐ＲＯＭ、ＤＶＤ‐ＲＡＭ、ＢＤ（Ｂｌｕ‐ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１６２】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１６３】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（１４）上記実施の形態及び上記変形例をそれぞれ組み合わせる構成も本発明に含まれる。
【産業上の利用可能性】
【０１６４】
本発明は、デジタル万引き防止のためのシステムとして利用できる。また、本発明は、カメラ撮影に伴う商品情報の提供や広告として利用できる。
【図面の簡単な説明】
【０１６５】
【図１】デジタルカメラシステム１０を構成する各装置を記述したシステム構成図である。
【図２】デジタルカメラ１００の構成を機能的に示す機能ブロック図である。
【図３】（ａ）ゲート２００を通過したデジタルカメラ１００のモード記憶部１０４に設定されるモード情報である。（ｂ）ゲート２００を通過する以前、及び、ゲート７００を通過したデジタルカメラ１００のモード記憶部１０４に設定されるモード情報である。（ｃ）モード記憶部１０４が「画素数固定モード／１００メガピクセル」を記憶している場合に、表示部１０８に表示される画素数選択画面１１８の図である。
【図４】（ａ）被写体Ａを撮影し、ＩＣタグ３００から受信した画像処理情報に基づき画像処理されて生成された画像データ１２０を示す図である。（ｂ）被写体Ｂを撮影し、ＩＣタグ４００から受信した画像処理情報に基づき画像処理されて生成された画像データ１３０を示す図である。（ｃ）被写体Ｃを撮影し、ＩＣタグ５００から受信した画像処理情報に基づき画像処理されて生成された画像データ１４０を示す図である。
【図５】ゲート２００の構成を機能的に示す機能ブロック図である。
【図６】ＩＣタグ３００の構成を機能的に示す機能ブロック図である。
【図７】デジタルカメラシステム１０全体の動作を示すフローチャートである。
【図８】デジタルカメラ１００の画像処理の動作を示すフローチャートである。
【図９】デジタルカメラシステム２０を構成する各装置を記述したシステム構成図である。
【図１０】デジタルカメラ１００ａの構成を機能的に示す機能ブロック図である。
【図１１】デジタルカメラシステム２０全体の動作を示すフローチャートであり、図１２に続く。
【図１２】デジタルカメラシステム２０全体の動作を示すフローチャートであり、図１１から続く。
【図１３】デジタルカメラ１００ａの画像処理の動作を示すフローチャートである。
【図１４】デジタルカメラ１００ｂの構成を機能的に示す機能ブロック図である。
【図１５】デジタルカメラ１００ｂを含むシステム全体の動作を示すフローチャートであり、図１６へ続く。
【図１６】デジタルカメラ１００ｂを含むシステム全体の動作を示すフローチャートであり、図１５から続く。
【図１７】デジタルカメラ１００ｂの画像処理の動作を示すフローチャートである。
【図１】
2007519284.tif 000003
【図２】
2007519284.tif 000004
2007519284.tif 000005
2007519284.tif 000006
【図５】
2007519284.tif 000007
【図６】
2007519284.tif 000008
【図７】
2007519284.tif 000009
【図８】
2007519284.tif 000010
【図９】
2007519284.tif 000011
【図１０】
2007519284.tif 000012
【図１１】
2007519284.tif 000013
【図１２】
2007519284.tif 000014
【図１３】
2007519284.tif 000015
【図１４】
2007519284.tif 000016
【図１５】
2007519284.tif 000017
【図１６】
2007519284.tif 000018
【図１７】
2007519284.tif 000019
【国際調査報告】
2007519284.tif 000020
2007519284.tif 000021